(57)【要約】マイクロホン支持ブーム（５２）によって何らかの方法で保持され得るマイクロホンの運動を制御するための装置および関連する方法。さらに詳しくは、本発明は、マイクロホンの所望の空間的位置決めに必要とされる高さの大部分をもたらし得るマイクロホン・スタンドから、マイクロホン支持ブームのヨーを分離するための新規な技法に取り組む。さらに本発明は、マイクロホン支持ブームのヨーを、マイクロホン支持ブームの他のあらゆる自由度における運動に対して優先的に分離するために使用され得る装置に取り組む。この優先的分離を達成するために使用するされ得る特定の種類の装置、すなわち二重円錐クラッチも、本発明の技術の一局面である。
2006515967.tif 000002
【特許請求の範囲】
【請求項１】
マイクロホン支持ブーム運動制御装置であって、
マイクロホン支持ブームのヨー、マイクロホン支持ブームのピッチ、マイクロホン支持ブームの軸方向の並進、およびマイクロホン支持ブームの軸回転を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、該マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、ならびに
該マイクロホン支持ブームが従動するマイクロホン支持ブーム保持要素
を備え、
該マイクロホン支持ブーム多自由度運動制御要素が、マイクロホン支持ブームが一方向に従動するマイクロホン支持ブーム・ヨー案内要素を備えており、
該オンオフ可能なマイクロホン支持ブーム・ヨー分離要素が、該オンオフ可能なマイクロホン支持ブーム・ヨー分離要素をオフおよびオンにするように、圧縮力軸に沿って作用する圧縮力を付与および解除するように動作できる調節可能な圧縮付与要素を備えており、
該調節可能な圧縮付与要素が、該マイクロホン支持ブーム多自由度運動制御要素を、完全なマイクロホン支持ブーム保持設定から不完全なマイクロホン支持ブーム保持設定まで調節可能にしている
マイクロホン支持ブーム運動制御装置。
【請求項２】
前記マイクロホン支持ブームのヨーを、該マイクロホン支持ブームの他の運動を許容するよりも前に許容するよう構成された優先的マイクロホン支持ブーム・ヨー分離要素をさらに備えており、
該優先的なヨーの許容が、前記取り付け要素が完全に係合しているときに、前記オンオフ可能なマイクロホン支持ブーム・ヨー分離要素をオンにすることによってもたらされる
請求項１に記載のマイクロホン支持ブーム運動制御装置。
【請求項３】
前記優先的マイクロホン支持ブーム・ヨー分離要素が、
（ａ）少なくとも１つが円錐台形状である摩擦ヨー表面であって、該円錐台形状の摩擦ヨー表面が、摩擦ヨー表面近傍圧縮力軸に対して摩擦ヨー表面角度を有するとともに、前記マイクロホン支持ブーム・ヨー軸と共直線である摩擦ヨー表面軸を有している摩擦ヨー表面、および
（ｂ）少なくとも１つが円錐台形状である摩擦ピッチ表面であって、該円錐台形状の摩擦ピッチ表面が、摩擦ピッチ表面近傍圧縮力軸に対して摩擦ピッチ表面角度を有するとともに、マイクロホン支持ピッチ軸と共直線である摩擦ピッチ表面軸を有している摩擦ピッチ表面
を有する二重円錐ヨー・クラッチを備え、
該摩擦ヨー表面角度が該摩擦ピッチ表面角度よりも大きい
請求項２に記載のマイクロホン支持ブーム運動制御装置。
【請求項４】
前記優先的マイクロホン支持ブーム・ヨー分離要素が、
（ａ）ヨー表面静止摩擦係数を呈する摩擦ヨー表面、および
（ｂ）ピッチ表面静止摩擦係数を呈する摩擦ピッチ表面
を備え、
該ヨー表面静止摩擦係数が該ピッチ表面静止摩擦係数よりも小さい
請求項２に記載のマイクロホン支持ブーム運動制御装置。
【請求項５】
前記優先的マイクロホン支持ブーム・ヨー分離要素が、
（ａ）前記マイクロホン支持ブーム・ヨー軸に対して有効ヨー表面モーメント・アームを有しているヨー回転可能摩擦ヨー表面、および
（ｂ）前記マイクロホン支持ブーム・ピッチ軸に対して有効ピッチ表面モーメント・アームを有しているピッチ回転可能摩擦ピッチ表面
を備え、
該有効ヨー表面モーメント・アームが該有効ピッチ表面モーメント・アームよりも小さい
請求項２に記載のマイクロホン支持ブーム運動制御装置。
【請求項６】
前記ヨーの優先的分離の開始後に、前記マイクロホン支持ブームの軸方向の並進および前記マイクロホン支持ブームの軸回転を前記マイクロホン・スタンドから分離するように構成された非優先的マイクロホン支持ブーム軸自由度運動分離要素をさらに有している
請求項３、４、または５に記載のマイクロホン支持ブーム運動制御装置。
【請求項７】
前記非優先的マイクロホン支持ブーム軸自由度運動分離要素が、少なくとも４つの摩擦マイクロホン支持ブーム軸運動表面を有しており、該摩擦マイクロホン支持ブーム軸運動表面の少なくとも２つが、ブーム軸運動摩擦表面近傍圧縮力軸に対してマイクロホン支持ブーム軸自由度運動摩擦角度を有しており、該マイクロホン支持ブーム軸自由度運動摩擦角度が前記摩擦ヨー表面角度よりも小さい請求項６に記載のマイクロホン支持ブーム運動制御装置。
【請求項８】
前記非優先的マイクロホン支持ブーム軸自由度運動分離要素が、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を備え、
該マイクロホン支持ブーム軸自由度表面静止摩擦係数が、前記ヨー表面静止摩擦係数よりも大きい
請求項６に記載のマイクロホン支持ブーム運動制御装置。
【請求項９】
前記非優先的マイクロホン支持ブーム軸自由度運動分離要素が、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を備える
請求項６に記載のマイクロホン支持ブーム運動制御装置。
【請求項１０】
前記マイクロホン支持ブームをさらに備えている請求項６に記載のマイクロホン支持ブーム運動制御装置。
【請求項１１】
前記マイクロホン・スタンドをさらに備えている請求項１０に記載のマイクロホン支持ブーム運動制御装置。
【請求項１２】
前記オンオフ可能なマイクロホン支持ブーム・ヨー分離要素が、二重対向円錐要素と、該二重対向円錐要素と界面を接するように構成された内表面を有するシェルとを備えている請求項６に記載のマイクロホン支持ブーム運動制御装置。
【請求項１３】
二重対向円錐要素と、該二重対向円錐要素と界面を接するように構成された内表面を有するシェルとを有するマイクロホン支持ブーム・ピッチ分離要素
をさらに備えている請求項１２に記載のマイクロホン支持ブーム運動制御装置。
【請求項１４】
マイクロホン支持ブーム運動制御装置であって、
少なくとも２つの自由度についてマイクロホン支持ブームの運動を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素
を備えるマイクロホン支持ブーム運動制御装置。
【請求項１５】
前記マイクロホン支持ブーム多自由度運動制御要素が、マイクロホン支持ブームが一方向に従動するマイクロホン支持ブーム・ヨー案内要素を備えている請求項１４に記載のマイクロホン支持ブーム運動制御装置。
【請求項１６】
前記マイクロホン支持ブーム多自由度運動制御要素が、前記オンオフ可能なマイクロホン支持ブーム・ヨー分離要素を備える請求項１４に記載のマイクロホン支持ブーム運動制御装置。
【請求項１７】
前記オンオフ可能なマイクロホン支持ブーム・ヨー分離要素が、前記マイクロホン支持ブーム・ヨー案内要素を備える請求項１５に記載のマイクロホン支持ブーム運動制御装置。
【請求項１８】
前記マイクロホン支持ブーム多自由度運動制御要素が、少なくともマイクロホン支持ブームのヨーおよびピッチを制御するように構成されている請求項１４に記載のマイクロホン支持ブーム運動制御装置。
【請求項１９】
前記オンオフ可能なマイクロホン支持ブーム・ヨー分離要素が、該オンオフ可能なマイクロホン支持ブーム・ヨー分離要素をオフおよびオンにするため、圧縮力軸に沿って作用する圧縮力を付与および解除するように動作できる調節可能な圧縮付与要素を備えている請求項１８に記載のマイクロホン支持ブーム運動制御装置。
【請求項２０】
前記調節可能な圧縮付与要素が、前記マイクロホン支持ブーム多自由度運動制御要素を、完全なマイクロホン支持ブーム保持設定から不完全なマイクロホン支持ブーム保持設定まで調節可能にしている請求項１９に記載のマイクロホン支持ブーム運動制御装置。
【請求項２１】
前記マイクロホン支持ブームのヨーを、該マイクロホン支持ブームの他の運動を許容するよりも前に許容するよう構成された優先的マイクロホン支持ブーム・ヨー分離要素をさらに備えており、
該優先的なヨーの許容が、前記取り付け要素が完全に係合しているときに、前記オンオフ可能なマイクロホン支持ブーム・ヨー分離要素をオンにすることによってもたらされる
請求項１９に記載のマイクロホン支持ブーム運動制御装置。
【請求項２２】
前記優先的マイクロホン支持ブーム・ヨー分離要素が、
（ａ）少なくとも１つが円錐台形状である摩擦ヨー表面であって、該円錐台形状の摩擦ヨー表面が、摩擦ヨー表面近傍圧縮力軸に対して摩擦ヨー表面角度を有するとともに、前記マイクロホン支持ブーム・ヨー軸と共直線である摩擦ヨー表面軸を有している摩擦ヨー表面、および
（ｂ）少なくとも１つが円錐台形状である摩擦ピッチ表面であって、該円錐台形状の摩擦ピッチ表面が、摩擦ピッチ表面近傍圧縮力軸に対して摩擦ピッチ表面角度を有するとともに、マイクロホン支持ピッチ軸と共直線である摩擦ピッチ表面軸を有している摩擦ピッチ表面
を有する二重円錐ヨー・クラッチを備え、
該摩擦ヨー表面角度が該摩擦ピッチ表面角度よりも大きい
請求項２１に記載のマイクロホン支持ブーム運動制御装置。
【請求項２３】
前記二重円錐ヨー・クラッチが、入れ子式の二重円錐ヨー・クラッチを備える請求項２２に記載のマイクロホン支持ブーム運動制御装置。
【請求項２４】
前記優先的マイクロホン支持ブーム・ヨー分離要素が、
（ａ）ヨー表面静止摩擦係数を呈する摩擦ヨー表面、および
（ｂ）ピッチ表面静止摩擦係数を呈する摩擦ピッチ表面
を備え、
該ヨー表面静止摩擦係数が該ピッチ表面静止摩擦係数よりも小さい
請求項２１に記載のマイクロホン支持ブーム運動制御装置。
【請求項２５】
前記優先的マイクロホン支持ブーム・ヨー分離要素が、
（ａ）前記マイクロホン支持ブーム・ヨー軸に対して有効ヨー表面モーメント・アームを有しているヨー回転可能摩擦ヨー表面、および
（ｂ）前記マイクロホン支持ブーム・ピッチ軸に対して有効ピッチ表面モーメント・アームを有しているピッチ回転可能摩擦ピッチ表面
を備え、
該有効ヨー表面モーメント・アームが該有効ピッチ表面モーメント・アームよりも小さい
請求項２１に記載のマイクロホン支持ブーム運動制御装置。
【請求項２６】
前記マイクロホン支持ブーム多自由度運動制御要素が、マイクロホン支持ブームの軸方向の並進とマイクロホン支持ブームの軸回転とからなる、マイクロホン支持ブーム軸自由度の群から選択される少なくとも１つのマイクロホン支持ブーム軸自由度についても、マイクロホン支持ブームの運動を制御するように構成されている
請求項２１、２２、２３、２４、または２５に記載のマイクロホン支持ブーム運動制御装置。
【請求項２７】
前記ヨーの優先的分離の開始後に、前記少なくとも１つのマイクロホン支持ブーム軸自由度についての運動を前記マイクロホン・スタンドから分離するように構成された非優先的マイクロホン支持ブーム軸自由度運動分離要素をさらに有している
請求項２６に記載のマイクロホン支持ブーム運動制御装置。
【請求項２８】
該非優先的マイクロホン支持ブーム軸自由度運動分離要素が、少なくとも４つの摩擦マイクロホン支持ブーム軸運動表面を有しており、該摩擦マイクロホン支持ブーム軸運動表面の少なくとも２つが、ブーム軸運動摩擦表面近傍圧縮力軸に対してマイクロホン支持ブーム軸自由度運動摩擦角度を有しており、該マイクロホン支持ブーム軸自由度運動摩擦角度が前記摩擦ヨー表面角度よりも小さい請求項２７に記載のマイクロホン支持ブーム運動制御装置。
【請求項２９】
前記マイクロホン支持ブーム軸自由度運動摩擦角度が、前記摩擦ピッチ角度よりも小さい請求項２８に記載のマイクロホン支持ブーム運動制御装置。
【請求項３０】
前記非優先的マイクロホン支持ブーム軸自由度運動分離要素が、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を備え、
該マイクロホン支持ブーム軸自由度表面静止摩擦係数が、前記ヨー表面静止摩擦係数よりも大きい
請求項２７に記載のマイクロホン支持ブーム運動制御装置。
【請求項３１】
前記マイクロホン支持ブーム軸自由度表面静止摩擦係数が、前記ヨー表面静止摩擦係数よりも大きい請求項３０に記載のマイクロホン支持ブーム運動制御装置。
【請求項３２】
前記非優先的マイクロホン支持ブーム軸自由度運動分離要素が、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を備える
請求項２７に記載のマイクロホン支持ブーム運動制御装置。
【請求項３３】
前記マイクロホン支持ブーム多自由度運動制御要素が、マイクロホン支持ブームのヨーおよびマイクロホン支持ブームのピッチを制御するように構成されている請求項１４に記載のマイクロホン支持ブーム運動制御装置。
【請求項３４】
前記マイクロホン支持ブーム多自由度運動制御要素が、マイクロホン支持ブームのヨー、マイクロホン支持ブームのピッチ、およびマイクロホン支持ブームの軸方向の並進を制御するように構成されている請求項１４に記載のマイクロホン支持ブーム運動制御装置。
【請求項３５】
前記マイクロホン支持ブーム多自由度運動制御要素が、マイクロホン支持ブームのヨー、マイクロホン支持ブームのピッチ、およびマイクロホン支持ブームの軸回転を制御するように構成されている請求項１４に記載のマイクロホン支持ブーム運動制御装置。
【請求項３６】
ジャムナットを有さない請求項１４に記載のマイクロホン支持ブーム運動制御装置。
【請求項３７】
前記マイクロホン支持ブームをさらに含んでいる請求項１４に記載のマイクロホン支持ブーム運動制御装置。
【請求項３８】
前記マイクロホン・スタンドをさらに含んでいる請求項１４に記載のマイクロホン支持ブーム運動制御装置。
【請求項３９】
前記オンオフ可能なマイクロホン支持ブーム・ヨー分離要素が、二重対向円錐要素と、該二重対向円錐要素と界面を接するように構成された内表面を有するシェルとを備えている請求項１４に記載のマイクロホン支持ブーム運動制御装置。
【請求項４０】
二重対向円錐要素と、該二重対向円錐要素と界面を接するように構成された内表面を有するシェルとを有するマイクロホン支持ブーム・ピッチ分離要素
をさらに備えている請求項１４または３９に記載のマイクロホン支持ブーム運動制御装置。
【請求項４１】
前記マイクロホン支持ブーム・ヨー案内要素が、実質的に円形である凹状のチャネルおよび実質的にリング状であるキーを備え、該実質的にリング状であるキーの少なくとも一部分が、該実質的に円形である凹状のチャネルに嵌まり込むように構成されている請求項１５または１７に記載のマイクロホン支持ブーム運動制御装置。
【請求項４２】
前記マイクロホン支持ブーム・ヨー案内要素が、二重対向円錐要素と、該二重対向円錐要素と界面を接するように構成された内表面を有するシェルとを備えている
請求項１５または１７に記載のマイクロホン支持ブーム運動制御装置。
【請求項４３】
前記マイクロホン支持ブーム多自由度運動制御要素が、完全なマイクロホン支持ブーム保持設定から不完全なマイクロホン支持ブーム保持設定まで調節可能である請求項１４に記載のマイクロホン支持ブーム運動制御装置。
【請求項４４】
前記オンオフ可能なマイクロホン支持ブーム・ヨー分離要素が、前記取り付け要素が前記完全に係合した状態にあり、かつ前記マイクロホン支持ブーム多自由度運動制御要素が不完全なマイクロホン支持ブーム保持設定にあるときに、前記マイクロホン支持ブームのヨーを該取り付け要素から分離するように動作可能である請求項４３に記載のマイクロホン支持ブーム運動制御装置。
【請求項４５】
前記マイクロホン支持ブーム多自由度運動制御要素が、４つの自由度について前記マイクロホン支持ブームの運動を制御するように構成されている請求項１４に記載のマイクロホン支持ブーム運動制御装置。
【請求項４６】
前記マイクロホン支持ブーム多自由度運動制御要素が、マイクロホン支持ブームのヨー、マイクロホン支持ブームのピッチ、マイクロホン支持ブームの軸方向の並進、およびマイクロホン支持ブームの軸回転を制御するように構成されている請求項１４または４５に記載のマイクロホン支持ブーム運動制御装置。
【請求項４７】
前記装置が据え付けられた状態にあるとき、前記オンオフ可能なマイクロホン支持ブーム・ヨー分離要素が前記取り付け要素の上方に位置している請求項１４に記載のマイクロホン支持ブーム運動制御装置。
【請求項４８】
マイクロホン支持ブーム運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含するマイクロホン支持ブーム運動制御方法。
【請求項４９】
前記マイクロホン支持ブーム多自由度運動制御要素を設置するステップが、マイクロホン支持ブームが一方向に従動するマイクロホン支持ブーム・ヨー案内要素を設置するステップを含んでいる請求項４８に記載のマイクロホン支持ブーム運動制御方法。
【請求項５０】
前記マイクロホン支持ブーム多自由度運動制御要素を設置するステップが、前記オンオフ可能なマイクロホン支持ブーム・ヨー分離要素を設置するステップを包含する請求項４８に記載のマイクロホン支持ブーム運動制御方法。
【請求項５１】
前記オンオフ可能なマイクロホン支持ブーム・ヨー分離要素を設置するステップが、前記マイクロホン支持ブーム・ヨー案内要素を設置するステップを包含する請求項４９に記載のマイクロホン支持ブーム運動制御方法。
【請求項５２】
前記マイクロホン支持ブーム多自由度運動制御要素を設置するステップが、少なくともマイクロホン支持ブームのヨーおよびピッチを制御するようにマイクロホン支持ブーム多自由度運動制御要素を設置するステップを包含する請求項４８に記載のマイクロホン支持ブーム運動制御方法。
【請求項５３】
前記オンオフ可能なマイクロホン支持ブーム・ヨー分離要素を設置するステップが、
該オンオフ可能なマイクロホン支持ブーム・ヨー分離要素をオフおよびオンにするため、圧縮力軸に沿って作用する圧縮力を付与および解除するように動作できる調節可能な圧縮付与要素を設置するステップを含んでいる
請求項５２に記載のマイクロホン支持ブーム運動制御方法。
【請求項５４】
前記調節可能な圧縮付与要素を設置するステップが、
前記マイクロホン支持ブーム多自由度運動制御要素を完全なマイクロホン支持ブーム保持設定から不完全なマイクロホン支持ブーム保持設定まで調節可能にする調節可能な圧縮付与要素を設置するステップ
を包含する請求項５３に記載のマイクロホン支持ブーム運動制御方法。
【請求項５５】
前記マイクロホン支持ブーム運動制御装置を設置するステップが、前記マイクロホン支持ブームのヨーを該マイクロホン支持ブームの他の運動を許容するよりも前に許容するよう構成されている優先的マイクロホン支持ブーム・ヨー分離要素を設置するステップをさらに包含し、
該優先的なヨーの許容が、前記取り付け要素が完全に係合しているときに、前記オンオフ可能なマイクロホン支持ブーム・ヨー分離要素をオンにすることによってもたらされる
請求項５３に記載のマイクロホン支持ブーム運動制御方法。
【請求項５６】
前記優先的マイクロホン支持ブーム・ヨー分離要素を設置するステップが、二重円錐ヨー・クラッチを設置するステップを含んでおり、
該二重円錐ヨー・クラッチを設置するステップ自身が、
（ａ）摩擦ヨー表面近傍圧縮力軸に対して摩擦ヨー表面角度を有するとともに、前記マイクロホン支持ブーム・ヨー軸と共直線である摩擦ヨー表面軸を有するよう、円錐台形状の摩擦ヨー表面を設置するステップ、および
（ｂ）摩擦ピッチ表面近傍圧縮力軸に対して摩擦ピッチ表面角度を有するとともに、マイクロホン支持ピッチ軸と共直線である摩擦ピッチ表面軸を有するよう、円錐台形状の摩擦ピッチ表面を設置するステップ
を包含し、
該摩擦ヨー表面角度が該摩擦ピッチ表面角度よりも大きい
請求項５５に記載のマイクロホン支持ブーム運動制御方法。
【請求項５７】
前記二重円錐ヨー・クラッチを設置するステップが、入れ子式の二重円錐ヨー・クラッチを設置するステップを包含する請求項５６に記載のマイクロホン支持ブーム運動制御方法。
【請求項５８】
前記優先的マイクロホン支持ブーム・ヨー分離要素を設置するステップが、
（ａ）ヨー表面静止摩擦係数を呈する摩擦ヨー表面を設置するステップ、および
（ｂ）ピッチ表面静止摩擦係数を呈する摩擦ピッチ表面を設置するステップ
を含んでおり、
該ヨー表面静止摩擦係数が該ピッチ表面静止摩擦係数よりも小さい
請求項５５に記載のマイクロホン支持ブーム運動制御方法。
【請求項５９】
前記優先的マイクロホン支持ブーム・ヨー分離要素を設置するステップが、
（ａ）前記マイクロホン支持ブーム・ヨー軸に対して有効ヨー表面モーメント・アームを有するようにヨー回転可能摩擦ヨー表面を設置するステップ、および
（ｂ）前記マイクロホン支持ブーム・ピッチ軸に対して有効ピッチ表面モーメント・アームを有するようにピッチ回転可能摩擦ピッチ表面を設置するステップ
を包含し、
該有効ヨー表面モーメント・アームが該有効ピッチ表面モーメント・アームよりも小さい
請求項５５に記載のマイクロホン支持ブーム運動制御方法。
【請求項６０】
前記マイクロホン支持ブーム多自由度運動制御要素を設置するステップが、
マイクロホン支持ブームの軸方向の並進とマイクロホン支持ブームの軸回転とからなる、マイクロホン支持ブーム軸自由度の群から選択される少なくとも１つのマイクロホン支持ブーム軸自由度についてもマイクロホン支持ブームの運動を制御するように、前記マイクロホン支持ブーム多自由度運動制御要素を設置するステップ
を包含する請求項５５、５６、５７、５８、または５９に記載のマイクロホン支持ブーム運動制御方法。
【請求項６１】
前記マイクロホン支持ブーム運動制御装置を設置するステップが、
前記ヨーの優先的分離の開始後に、前記少なくとも１つのマイクロホン支持ブーム軸自由度についての運動を前記マイクロホン・スタンドから分離するように構成された非優先的マイクロホン支持ブーム軸自由度運動分離要素を設置するステップ
をさらに包含する請求項６０に記載のマイクロホン支持ブーム運動制御方法。
【請求項６２】
前記非優先的マイクロホン支持ブーム軸自由度運動分離要素を設置するステップが、
少なくとも４つの摩擦マイクロホン支持ブーム軸運動表面を設置するステップであって、該摩擦マイクロホン支持ブーム軸運動表面のうちの少なくとも２つが、ブーム軸運動摩擦表面近傍圧縮力軸に対する角度であって前記摩擦ヨー表面角度よりも小さいマイクロホン支持ブーム軸自由度運動摩擦角度を有する、ステップ、
を包含する請求項６１に記載のマイクロホン支持ブーム運動制御方法。
【請求項６３】
前記マイクロホン支持ブーム軸自由度運動摩擦角度が、前記摩擦ピッチ角度よりも小さい請求項６２に記載のマイクロホン支持ブーム運動制御方法。
【請求項６４】
前記非優先的マイクロホン支持ブーム軸自由度運動分離要素を設置するステップが、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を設置するステップ
を包含し、
該マイクロホン支持ブーム軸自由度表面静止摩擦係数が、前記ヨー表面静止摩擦係数よりも大きい
請求項６１に記載のマイクロホン支持ブーム運動制御方法。
【請求項６５】
前記マイクロホン支持ブーム軸自由度表面静止摩擦係数が、前記ヨー表面静止摩擦係数よりも大きい請求項６４に記載のマイクロホン支持ブーム運動制御方法。
【請求項６６】
前記非優先的マイクロホン支持ブーム軸自由度運動分離要素を設置するステップが、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を設置するステップ
を包含する請求項６１に記載のマイクロホン支持ブーム運動制御方法。
【請求項６７】
前記マイクロホン支持ブーム多自由度運動制御要素を設置するステップが、
マイクロホン支持ブームのヨーおよびマイクロホン支持ブームのピッチを制御するようにマイクロホン支持ブーム多自由度運動制御要素を設置するステップ
を包含する請求項４８に記載のマイクロホン支持ブーム運動制御方法。
【請求項６８】
前記マイクロホン支持ブーム多自由度運動制御要素を設置するステップが、
マイクロホン支持ブームのヨー、マイクロホン支持ブームのピッチ、およびマイクロホン支持ブームの軸方向の並進を制御するようにマイクロホン支持ブーム多自由度運動制御要素を設置するステップ
を包含する請求項４８に記載のマイクロホン支持ブーム運動制御方法。
【請求項６９】
前記マイクロホン支持ブーム多自由度運動制御要素を設置するステップが、
マイクロホン支持ブームのヨー、マイクロホン支持ブームのピッチ、およびマイクロホン支持ブームの軸回転を制御するようにマイクロホン支持ブーム多自由度運動制御要素を設置するステップ
を包含する請求項４８に記載のマイクロホン支持ブーム運動制御方法。
【請求項７０】
ジャムナットを設置するステップを有していない請求項４８に記載のマイクロホン支持ブーム運動制御方法。
【請求項７１】
前記マイクロホン支持ブームを設置するステップをさらに含んでいる請求項４８に記載のマイクロホン支持ブーム運動制御方法。
【請求項７２】
前記マイクロホン・スタンドを設置するステップをさらに含んでいる請求項４８に記載のマイクロホン支持ブーム運動制御方法。
【請求項７３】
前記オンオフ可能なマイクロホン支持ブーム・ヨー分離要素を設置するステップが、
二重対向円錐要素と、該二重対向円錐要素と界面を接するように構成された内表面を有するシェルとを設置するステップ
を包含する請求項４８に記載のマイクロホン支持ブーム運動制御方法。
【請求項７４】
二重対向円錐要素と、該二重対向円錐要素と界面を接するように構成された内表面を有するシェルとを有するマイクロホン支持ブーム・ピッチ分離要素を設置するステップ
をさらに有している請求項４８または７３に記載のマイクロホン支持ブーム運動制御方法。
【請求項７５】
前記マイクロホン支持ブーム・ヨー案内要素を設置するステップが、実質的に円形である凹状のチャネルおよび実質的にリング状であるキーを設置するステップを包含し、該実質的にリング状であるキーの少なくとも一部分が、該実質的に円形である凹状のチャネルに嵌まり込むように構成されている請求項４９または５１に記載のマイクロホン支持ブーム運動制御方法。
【請求項７６】
前記マイクロホン支持ブーム・ヨー案内要素を設置するステップが、
二重対向円錐要素と、該二重対向円錐要素と界面を接するように構成された内表面を有するシェルとを設置するステップ
を包含する請求項４９または５１に記載のマイクロホン支持ブーム運動制御方法。
【請求項７７】
前記マイクロホン支持ブーム多自由度運動制御要素を設置するステップが、
完全なマイクロホン支持ブーム保持設定から不完全なマイクロホン支持ブーム保持設定まで調節可能であるマイクロホン支持ブーム多自由度運動制御要素を設置するステップ
を包含する請求項４８に記載のマイクロホン支持ブーム運動制御方法。
【請求項７８】
前記オンオフ可能なマイクロホン支持ブーム・ヨー分離要素を設置するステップが、
前記取り付け要素が前記完全に係合した状態にあり、かつ前記マイクロホン支持ブーム多自由度運動制御要素が不完全なマイクロホン支持ブーム保持設定にあるときに、前記マイクロホン支持ブームのヨーを該取り付け要素から分離するように動作可能であるオンオフ可能なマイクロホン支持ブーム・ヨー分離要素を設置するステップ
を包含する請求項７７に記載のマイクロホン支持ブーム運動制御方法。
【請求項７９】
前記マイクロホン支持ブーム多自由度運動制御要素を設置するステップが、
４つの自由度について前記マイクロホン支持ブームの運動を制御するように構成されているマイクロホン支持ブーム多自由度運動制御要素を設置するステップ
を包含する請求項４８に記載のマイクロホン支持ブーム運動制御方法。
【請求項８０】
前記マイクロホン支持ブーム多自由度運動制御要素を設置するステップが、
マイクロホン支持ブームのヨー、マイクロホン支持ブームのピッチ、マイクロホン支持ブームの軸方向の並進、およびマイクロホン支持ブームの軸回転を制御するように構成されているマイクロホン支持ブーム多自由度運動制御要素を設置するステップ
を包含する請求項４８または７９に記載のマイクロホン支持ブーム運動制御方法。
【請求項８１】
前記オンオフ可能なマイクロホン支持ブーム・ヨー分離要素を設置するステップが、
前記装置が据え付けられた状態にあるとき、オンオフ可能なマイクロホン支持ブーム・ヨー分離要素を前記取り付け要素の上方に設置するステップ
を包含する請求項４８に記載のマイクロホン支持ブーム運動制御方法。
【請求項８２】
マイクロホン支持ブーム運動制御取り扱い方法であって、
少なくとも３つの自由度についてマイクロホン支持ブームの運動を制御するように構成されているマイクロホン支持ブーム多自由度運動制御要素の一部を構成しているオンオフ可能なマイクロホン支持ブーム・ヨー分離要素をオンにして、回転可能な取り付け要素のヨーをマイクロホン・スタンドから分離するステップ、および
該マイクロホン支持ブーム多自由度運動制御要素を回転させることなく、前記回転可能な取り付け要素を前記マイクロホン・スタンドへと完全に係合するまで回転によって取り付けるステップ
を包含するマイクロホン支持ブーム運動制御取り扱い方法。
【請求項８３】
前記マイクロホン支持ブーム多自由度運動制御要素の一部を構成しているマイクロホン支持ブーム保持要素に、マイクロホン支持ブームを圧縮によって保持するステップ
をさらに有する請求項８２に記載のマイクロホン支持ブーム運動制御取り扱い方法。
【請求項８４】
前記保持されているマイクロホン支持ブームに手動による横方向の力が付与されたときに、該保持されているマイクロホン支持ブームにピッチを生じることなく、該保持されているマイクロホン支持ブームのヨーを可能にするため、調節可能な圧縮付与要素を調節するステップ、および
該保持されているマイクロホン支持ブームに該手動による横方向の力を付与し、マイクロホン支持ブームのピッチを生じることなくマイクロホン支持ブームのヨーを生じさせるステップ
をさらに有する請求項８３に記載のマイクロホン支持ブーム運動制御取り扱い方法。
【請求項８５】
前記保持されているマイクロホン支持ブームに手動による横方向の力が付与されたときに、該保持されているマイクロホン支持ブームにマイクロホン支持ブーム軸自由度運動を生じることなく、該保持されているマイクロホン支持ブームのヨーを可能にするため、前記調節可能な圧縮付与要素をさらに調節するステップ、および
該保持されているマイクロホン支持ブームに該手動による横方向の力を付与し、マイクロホン支持ブーム軸自由度運動を生じることなくマイクロホン支持ブームのヨーを生じさせるステップ
をさらに有する請求項８４に記載のマイクロホン支持ブーム運動制御取り扱い方法。
【請求項８６】
前記保持されているマイクロホン支持ブームに手動による垂直方向の力が付与されたときに、該保持されているマイクロホン支持ブームにマイクロホン支持ブーム軸自由度運動を生じることなく、該保持されているマイクロホン支持ブームのピッチを可能にするため、前記調節可能な圧縮付与要素をさらに調節するステップ、および
該保持されているマイクロホン支持ブームに該手動による垂直方向の力を付与し、マイクロホン支持ブーム軸自由度運動を生じることなくマイクロホン支持ブームのピッチを生じさせるステップ
さらに有する請求項８４または８５に記載のマイクロホン支持ブーム運動制御取り扱い方法。
【請求項８７】
前記オンオフ可能なマイクロホン支持ブーム・ヨー分離要素が、４つの自由度についてマイクロホン支持ブームの運動を制御するように構成されているマイクロホン支持ブーム多自由度運動制御要素の一部を構成している請求項８２に記載のマイクロホン支持ブーム運動制御取り扱い方法。
【請求項８８】
前記４つの自由度が、マイクロホン支持ブームのヨー、マイクロホン支持ブームのピッチ、マイクロホン支持ブームの軸方向の並進、およびマイクロホン支持ブームの軸回転からなる請求項８７に記載のマイクロホン支持ブーム運動制御取り扱い方法。
【請求項８９】
優先的マイクロホン支持ブーム自由度運動分離要素として使用可能な二重円錐クラッチであって、
（ａ）少なくとも１つが円錐台形状である摩擦優先運動表面であって、該円錐台形状の摩擦優先運動表面が、摩擦優先運動表面近傍圧縮力軸に対して摩擦優先運動表面角度を有するとともに、マイクロホン支持ブーム優先運動軸と共直線である摩擦優先運動表面軸を有している摩擦優先運動表面、および
（ｂ）少なくとも１つが円錐台形状である摩擦従属運動表面であって、該円錐台形状の摩擦従属運動表面が、摩擦従属運動表面近傍圧縮力軸に対して摩擦従属運動表面角度を有するとともに、マイクロホン支持従属運動軸と共直線である摩擦従属運動表面軸を有している摩擦従属運動表面
を備え、
前記摩擦優先運動表面角度が該摩擦従属運動表面角度よりも大きく、
該二重円錐クラッチによって、前記マイクロホン支持ブームのある好ましい自由度についての運動が、該マイクロホン支持ブームの他のあらゆる自由度についての運動が許容されるよりも前に許容され、
該二重円錐クラッチによって、該好ましい自由度についての運動がマイクロホン・スタンドから分離される
優先的マイクロホン支持ブーム自由度運動分離要素として使用可能な二重円錐クラッチ。
【請求項９０】
前記二重円錐クラッチが、入れ子式の二重円錐クラッチを備える請求項８９に記載の優先的マイクロホン支持ブーム自由度運動分離要素として使用可能な二重円錐クラッチ。
【請求項９１】
マイクロホン支持ブームのヨー、マイクロホン支持ブームのピッチ、マイクロホン支持ブームの軸方向の並進、およびマイクロホン支持ブームの軸回転を、交互に係止および解放するように制御するように構成されたマイクロホン支持ブーム多自由度運動制御要素
を備えるマイクロホン支持ブーム運動制御装置。
【請求項９２】
マイクロホン支持ブームのヨー、マイクロホン支持ブームのピッチ、マイクロホン支持ブームの軸方向の並進、およびマイクロホン支持ブームの軸回転の制御を、該マイクロホン支持ブームの運動のそれぞれを係止および解除できるようにすることで行なうようにマイクロホン支持ブーム多自由度運動制御要素を構成するステップ
を包含するマイクロホン支持ブーム運動制御方法。
【発明の詳細な説明】
【技術分野】
【０００１】
（関連出願の引用）
本出願は国際出願であり、２００３年１月１５日付の米国特許出願第１０／３４５，６２２号の優先権を主張し、この米国特許出願は、本明細書中に参考として援用される。
【０００２】
（技術分野）
一般に、本発明は、マイクロホン支持ブームによって何らかの方法で保持され得るマイクロホンについて、運動を制御するための装置および関連する方法に関する。さらに詳しくは、本発明は、マイクロホンの所望の空間的位置決めに必要とされる高さの大部分をもたらし得るマイクロホン・スタンドから、マイクロホン支持ブームのヨーを分離するための新規な技法に取り組む。さらに本発明は、マイクロホン支持ブームのヨーを、マイクロホン支持ブームの他のあらゆる自由度における運動に対して優先的に分離するために使用され得る装置に取り組む。この優先的分離を達成するために使用され得る特定の種類の装置、すなわち二重円錐クラッチも、本発明の技術の一局面である。
【背景技術】
【０００３】
（背景）
マイクロホン支持アセンブリに保持されたマイクロホンの運動を制御したいという要望は、かねてから知られている。代表的に、そのようなマイクロホン支持アセンブリは、ステージまたは床のような下方の表面に接する支持基部を有するマイクロホン・スタンド、およびマイクロホン・スタンドの上端に（直接的にか、または取り付け具そのものが取り付けられる中間的な装置を介してかのいずれか）取り付けられたマイクロホン支持ブームを備え得る。しかし、マイクロホン・スタンドが存在せず、代わりにある表面（一例ではあるが、代表的にはピアノの前面上部などの上昇表面）にマイクロホン支持ブームが（直接的にか、または取り付け具そのものが取り付けられる中間的な装置を介してかのいずれかで）取り付けられ得る。代表的には、マイクロホン支持ブームの一端が、ユーザが最適な位置に配置することを望むマイクロホンを、何らかの方法で保持または把持するように構成されている。この最適位置は、性能や他の要求が求め得るように、音楽の演奏またはスピーチ（この２つは、あくまで例である）の経過の間に変化し得る。例えば、ユーザ（すなわち、増幅すべき音を発している人物）が歌唱部分を終えて、楽器（ユーザに最も近いマイクロホン以外の手段で増幅され得る）の演奏を続けつつマイクロホンをより邪魔にならない領域（しかしながらおそらく、依然として手の届く領域）へと再配置したいと望み得る。重要なことに、演奏が中断されることがないよう、ユーザによる最小の操作でマイクロホンの最初の位置（おそらく、最適に設定された初期位置）へと迅速かつ容易に復帰できるようにマイクロホンが再配置されることが、ユーザにとって非常に重要である。理想的には、この保持されているマイクロホンの再配置は、ユーザ（または近くのアシスタント）によってマイクロホンの最初の位置へと、ユーザまたはユーザの演奏の中断が最小であるような様式でマイクロホンが容易に戻され得るよう、ユーザが容易に掴むことができる新しい位置への再配置である。
【０００４】
代表的に、そのような中断が最小限である再配置は、手動で行なわれるマイクロホン支持ブームのヨーの形態をとる（代表的には、ヨーとは、垂直軸の周りでの回転である）。もちろん、そのようなヨーを、いかなる様式でもマイクロホン・スタンドを動かすことなく生じさせることが望ましい。しかしながら、これまでに存在するマイクロホン運動制御装置を使用して、何らかの様式でヨー運動を可能にするシステムは、わずかいくつかだけである。それらの選り抜きの先行技術のシステムに関して、マイクロホン支持ブームへのヨー能力の提供が、アセンブリの構造的一体性を損なう（例えば、ねじによってマイクロホン・スタンドからブームのねじを緩めることによって）危険性を増加させないことを保証する唯一の方法は、スタンドにおいてマイクロホンが所望の高さに配置され得るようにスタンドを垂直に延長できるようにするために存在し得るいずれかの部品を取り外すことである。そのような取り外しの際に、スタンドは高さの調節が不可能であり、そして代表的に、最も低い位置に位置する（従って、保持されているマイクロホンを所望の高さに位置させず、そして所望の高さを達成するためにスタンド基部が設置され得る持ち上げられた支持面を必要とする）。さらに、たとえ高さ調節機構の取り外しが一時的であっても、ユーザは不都合にも、高さ調節機構を取り外した後に一方の手でマイクロホン・スタンドの上部（またはマイクロホン支持ブーム）を把持しつつ、所望の向きへとマイクロホンの「ヨー調節」を行なうためもう一方の手を使用しなければならない。さらに、いくつかの背の高いマイクロホン・スタンドにおいては、高さ調節がユーザの手の届かない位置にあり得る。存在し得るマイクロホン・スタンドの高さ調節能力を失うことなく、（ブームをヨー回転させながらスタンドを回転させる必要性を回避するように）マイクロホン・スタンドに対するマイクロホン支持ブームのヨー回転を提供する目的で、何らかの種類のヨー回転を（不便であり、あるいは間に合わせであるにせよ）なお可能にされている既存のマイクロホン支持アセンブリは、マイクロホン支持ブームのマイクロホン支持スタンドへの何らかの接続が、部分的にのみ係合されることを必要とする。例えば、ユーザがヨー能力およびマイクロホン・スタンドのインタクトな高さ調節能力を有する場合、ねじによる取り付けは、以前から存在するシステムに完全には係合され得ない。もちろん、これら既存の「自由浮動」システムは、ねじが緩み、そして結果としてマイクロホン支持ブームがマイクロホン・スタンドから取り外される危険性があり、そして少なくとも、完全に係合した接続（ナットまたは他のねじ座へと完全にねじ込まれた、ねじ付きボルトなど）によって可能となる堅固な接続が実現不可能になる。ねじが外れる危険性減らすためにジャムナット（ｊａｍｂ  ｎｕｔ）が使用され得るが、そのようなシステムにおいてはヨーの提供が損なわれ（ジャムナットは、ねじ込みによって取り付けられた部品の係止効果を有する傾向がある）、完全なねじ係合によって他の様式でもたらされる堅固な取り付けをもたらし、ねじ部品の過度の回転に関連する磨耗の増加の問題を回避せず、増幅された音声中の振動およびし���がって雑音の増加を引き起こし、ジャムナットを突き出しているねじ部品にねじ込む追加のステップを必要とし、そして喪失または過剰に磨耗され得る単なる１つのさらなる部品である。
【０００５】
既存のマイクロホン支持システムに関するさらなる問題としては、３つのみの自由度についての制御、およびさらに詳しくは、ヨーが提供されないことが挙げられる。これに関連して、既存のシステムは、固定および解除の能力を含めて、ヨーの制御を提供しない。さらに、既存のシステムは、運動の半固定または部分固定の能力を提供しない。これに関連して、差別的な解除能力を提供し、すなわち他のあらゆる種類の運動（マイクロホン支持ブームのピッチまたは軸方向の並進もしくは回転など）を提供する前にまずマイクロホン支持ブームのヨーを提供するため、ユーザによって使用可能な調節可能部品を含むであろうシステムは存在しない。ボールジョイントは、例えば充分な圧縮の解除の際に複数の回転の自由度についての運動を同時に解放するので、単にこのような差別的な分離または分離を達成するために使用することはできない。実際、このようなシステムにおいては、所望のヨーを可能にするようにブームが充分に緩められ得る瞬間にしばしば、ブームおよびマイクロホンの重量によって生じるてこの作用によってまた、マイクロホンおよびブームに、望まれないピッチが生じる。差別的な解放または分離の能力は、ブームのピッチも軸方向の運動も生じさせることなく、マイクロホンを横方向に動かす（マイクロホン支持ブームのヨーを生じさせることによって達成される）ことを希望するユーザにとって価値がある。
【０００６】
既存のシステムに関連する他の問題としては、単に、マイクロホン支持ブームとマイクロホン・スタンドの着脱に関する不便さが挙げられる。この不便さは２つの形態を採る。すなわち、ブームとスタンドとの着脱にのための簡単なワンステップの手順の欠如、およびこれらの二者を最小限のステップ数で最も複雑でない手法で（そのデバイスの特徴および造作の使用に慣れていない演奏者にとって、これらの二者を取り付けるための唯一の明らかかつ明白な様式であり得るように）取り付ける目的で、マイクロホンが（ブーム保持装置に保持されるとき）マイクロホン・スタンドの軸の周りでブームを「ヘリコプター状」にすることによって取り付けられる必要性である。これは、単に、不便であり、時間を浪費し、そしてしばしば不恰好なステップである。
【発明の開示】
【課題を解決するための手段】
【０００７】
（発明の開示）
本発明は、対処しようとする特定の用途またはニーズに基いて種々の組み合わせで選択され得る、さまざまな局面を含んでいる。１つの基本的な形態においては、本発明は、マイクロホン支持ブームをブームのヘリコプター化を含まない明白かつ容易なやり方でマイクロホン・スタンドに取り付けることを可能にするマイクロホン支持ブーム運動制御装置、および関連の方法に関する。他の基本的な形態においては、本発明は、マイクロホン・スタンド、またはブームをスタンドへと取り付けている取り付けデバイスに対する、マイクロホン支持ブームのヨーを、取り付けデバイスをスタンドへと不完全にのみ係合させる必要なく、いずれのマイクロホン・スタンド垂直延長提供装置も緩めたり外したりする必要もなく、可能にする方法および装置を含んでいる。他の基本的な形態は、４つの自由度におけるマイクロホン・ブーム（およびもちろん、任意の取り付けられたマイクロホン）の運動の（係止および解放を可能にするなどによる）制御を可能にするマイクロホン・ブーム制御装置の提供である。さらに他の基本的な形態において、本発明は、係止および解放（または自由にすること）を含むマイクロホンブームのヨーの制御を可能にするマイクロホン・ブーム制御装置を提供する。さらにまた別の基本的な形態は、異なる自由度についてのマイクロホン支持ブームの運動の差別的解放または分離の能力である。本明細書において使用されるとき、分離という用語は、他に示されない限り、言及されている特徴（代表的に、ある自由度における運動）を、マイクロホン支持ブームから独立させることを指している。本発明の少なくとも１つの実施形態においては、差別的な解放能力が、水平摩擦力を予測可能に増幅するように選択され得る角度を有する摩擦面を備えており、関連する垂直力、およびしたがって、摩擦力が、予測可能に達成され得る二重円錐クラッチを使用することによって達成される。したがって、異なる２つの自由度についての運動を支配する表面に付随する摩擦力の相対的な値を操作することを使用して、どちらの運動が先に静的な制動状態から解放されるかを、少なくともある程度制御し得る。
【発明が解決しようとする課題】
【０００８】
本発明の目的は、マイクロホン支持ブーム運動制御装置に差別的解放能力を提供し、その結果、半固定または不完全なマイクロホン支持ブーム保持設定において、ピッチまたはその他の望ましくない自由度の運動をも可能にすることなく、ヨーが提供され得、そして達成され得る。
【０００９】
本発明の目的は、マイクロホン支持ブーム制御装置において、制御可能なヨーを提供することである。
【００１０】
本発明の目的は、マイクロホン支持ブーム制御装置において、制御可能な４つの自由度を提供することである。
【００１１】
本発明の目的は、取り付け要素が取り付けられるマイクロホン・スタンドに対する、取り付け要素のヨーの分離を提供し、その結果、取り付けの際の「ヘリコプター動作」を不要にすることである。
【００１２】
本発明の目的は、マイクロホン支持ブームとマイクロホン・スタンドとの便利な着脱のため、ただ１つの制御（例えば、１つの回転ノブによるなど）を提供することである。
【００１３】
本発明の目的は、他の自由度における運動に対する、ある一自由度における運動の差別的な解放を達成するために使用できる二重円錐クラッチを提供することである。
【００１４】
本発明の目的は、マイクロホン・スタンドおよび／または取り付け要素に対するヨーの優先的解放または分離を提供することである。
【００１５】
本発明の目的は、マイクロホン・スタンドおよび／またはブーム‐スタンド間取り付けデバイスから分離されるヨーを、取り付けデバイスを不完全な係合設定にする必要なく、かつマイクロホン・スタンド高さ延長装置を外す必要なく可能にすることである。
【００１６】
当然ながら、本発明のさらなる目的は、本明細書の他の部分および特許請求の範囲を通じて開示される。
【００１７】
添付の図面は、あくまで実施形態の例にすぎず、いかなる様式でも、本発明の主題の技術的範囲を限定するように解釈されるべきものではない。
【００１８】
マイクロホン支持ブーム運動制御装置は、マイクロホン支持ブーム多自由度運動制御要素を備える。
【発明を実施するための最良の形態】
【００１９】
（発明を実施するための形態）
少なくとも一つの実施形態において、本発明は、マイクロホン支持ブームの移動または運動制御装置（５０）であって、少なくとも２自由度についてマイクロホン支持ブーム（５２）の運動を制御するように構成されたマイクロホン支持ブーム多自由度運動制御要素（５１）と、取り付け要素とマイクロホン・スタンドとの係合の際に前記マイクロホン支持ブーム多自由度運動制御要素をマイクロホン・スタンド（５４）に取り付けるよう構成され得る取り付け要素（５３）と、前記取り付け要素が完全に係合している状態のときに、マイクロホン支持ブーム・ヨー軸（７４）の周りでのマイクロホン支持ブームのヨーを前記取り付け要素から分離するように動作可能なオンオフ可能なマイクロホン支持ブーム・ヨー分離要素（５５）と、マイクロホン支持ブームが従動するマイクロホン支持ブーム保持要素（５６）とを備え得る装置である。マイクロホン支持ブームは、必ずしも長さが長くなくてもよく、実際に、あまり代表的ではないがいくつかの用途においては、マイクロホンそのものと同じ小ささ、またはマイクロホンそのものよりも小さくあり得ることに注目のこと。本明細書において使用されるとき、マイクロホン・スタンドという用語は、マイクロホン支持アセンブリ全体のうち床に接する（あるいは床に接する基部に取り付けられる）部分を指して使用され、垂直延長能力をもたらす１つ以上の部品を有し得る。本明細書において使用されるとき、取り付けという用語は、永続性を意味するものと解釈すべきではなく、実際、他の構造体へと取り付けられるある構造体は、着脱可能に取り付けられ得る。さらに、マイクロホン支持ブーム運動制御装置が備える要素であると具体的に言及されない限り、マイクロホン・スタンドは、請求項において他のいくつかの様式で言及されるが、請求項の構成要素ではない。
【００２０】
取り付け要素は、マイクロホン・スタンドと完全に係合したとき、マイクロホン・スタンドに対して不動であり得る。マイクロホン支持ブーム多自由度運動制御要素は、何らかのかたちでマイクロホン・スタンドへと取り付けられるマイクロホン支持ブームの、マイクロホン・スタンドに対する運動を、１より多い自由度について制御するために使用できる組立体である。マイクロホン支持ブームの自由度とは、マイクロホン支持ブームが運動し得る方向の数のうちの１つを指しており、そのような運動は、別または他の運動の自由度と組み合わされる（例えば、マイクロホン支持ブームのヨーが、ピッチおよび軸方向のスライドに組み合わされる）場合であってさえも、何らかのかたちで（例えば、マイクロホン支持ブームのヨーとして）特徴付け可能である。取り付け要素は、取り付け要素とマイクロホン・スタンドのある種の係合（あくまで例であるが３つ挙げると、ねじ込み、締め付け、またはボルト付けによる）によって、マイクロホン支持ブーム多自由度運動制御要素をマイクロホン・スタンドへと何らかのやり方で（あくまで例であるが３つ挙げると、ねじ山、締め具、またはボルトによって）取り付けるために使用可能であり得る。「・・・ように構成される」あるいは「・・・すべく構成される」という用語は、指定の機能を達成するための寸法、設計、および／または形状、あるいは特徴付けられるように合致するような寸法、設計、および／または形状とされることを指している。
【００２１】
オンオフ可能なマイクロホン支持ブーム・ヨー分離要素は、オンにすることによってマイクロホン支持ブームのヨーを、マイクロホン・スタンドに完全に係合している（例えば、例として２つ挙げれば、完全にねじ込まれるか、または完全に締め付けられている）状態の取り付け要素から分離するために使用できる部品または組立体（磁気要素を含んでもよく、含んでいなくてもよい）である。このようにして、マイクロホン支持ブームのヨーは、取り付け要素（およびしたがって、マイクロホン・スタンド）とは独立に生じ得、したがって、マイクロホン支持ブームのヨーが、取り付け要素の回転を生じない。少なくとも一つの実施形態においては、オンオフ可能なマイクロホン支持ブーム・ヨー分離要素は、装置が据え付けられた状態（例えば、マイクロホン支持アセンブリが組み立てられ、ある表面上にある状態）のとき、取り付け要素の上方に配置または設置されている。ヨーは、航空または船舶の文脈において広く使用される用語であるが、この用語が広く垂直軸（この垂直軸は、床に接し得るマイクロホン・スタンドの基部の中心から、取り付け要素までの直線であり得る）の周りでの角度運動を指し得る点で、本件出願において完全に適切である。しかしながら、本発明の装置について考えられるある特定の用途が垂直に直立していないマイクロホンまたは他のスタンドに関係し得ることを考慮すれば、ヨーという用語は、最も広い使用においては、取り付け要素によってマイクロホン支持ブーム多自由度運動制御要素が取り付けられ得るマイクロホン・スタンドまたは他のスタンドに関し、これらのスタンドによって定められる長手軸の周りでの角度回転を意味する。当然ながら、この軸は垂直であってもよく、垂直から外れていてもよい。本件出願において使用されるとき、ピッチという用語は、水平な横方向の軸（すなわち、水平であってかつマイクロホン・スタンド上に据え付けられた状態のマイクロホン支持ブームの垂直投影に直交する軸）の周りでのマイクロホン支持ブームの角度運動を指し得る。他の自由度は、マイクロホン支持ブーム軸自由度と名付けられ得、マイクロホン支持ブームの軸方向の並進（８１）（自身の長手軸に沿ったマイクロホン支持ブームの並進を指す）、およびマイクロホン支持ブームの軸回転（８２）（自身の長手軸に従ったマイクロホン支持ブームの角度運動を指す）を含み得る。マイクロホン支持ブーム保持要素は、マイクロホン支持ブームを少なくとも１つの自由度の運動に関して動かぬように把持することなどによって、マイクロホン支持ブームを保持するように作動可能な任意の部品または組立体である。このように、マイクロホン支持ブームは、マイクロホン支持ブーム保持要素に従動し得る。さらに、本発明の少なくとも１つの実施形態においては、オンオフ可能なマイクロホン支持ブーム・ヨー分離要素が、二重対向円錐要素（例えば、二重対向円錐ヨー要素（９４））と、二重対向円錐要素と界面を接するように構成された内表面（９６）を有するシェル（例えば、ヨー・シェル（９５））とを備えることができる。
【００２２】
少なくとも一つの実施形態においては、マイクロホン支持ブーム多自由度運動制御要素は、マイクロホン支持ブームが一方向に従動するマイクロホン支持ブーム・ヨー案内要素（５７）を備え得る。この案内要素は、マイクロホン支持ブームのヨーを可能にして案内するようにとくに構成された任意の要素であり得る。さらに、少なくとも一つの実施形態においては、マイクロホン支持ブーム多自由度運動制御要素は、オンオフ可能なマイクロホン支持ブーム・ヨー分離要素を有し得る。さらに、オンオフ可能なマイクロホン支持ブーム・ヨー分離要素は、マイクロホン支持ブーム・ヨー案内要素を有し得る。実際、いずれかの請求項において、ある要素について他の要素への言及と別個に言及しても、それら要素が別個の器具または構成要素であると限定して解釈すべきではなく、実際、ある要素について、別個に言及された他の要素との重なりが存在し得、あるいは別個に言及された２つの要素が同じ部品または組立体であってもよく、あるいはある要素が別個に言及された他の要素の一部を構成してもよく、別個に言及された他の要素そのものを構成してもよい。
【００２３】
少なくとも一つの実施形態においては、マイクロホン支持ブーム多自由度運動制御要素は、少なくともマイクロホン支持ブームのヨー（５８）およびピッチ（５９）を制御するように構成され得る。少なくとも一つの実施形態においては、マイクロホン支持ブーム多自由度運動制御要素はまた、さらにマイクロホン支持ブームの軸方向の並進および／またはマイクロホン支持ブームの軸回転を制御するように構成され得る。オンオフ可能なマイクロホン支持ブーム・ヨー分離要素は、圧縮力を付与および解除するように動作可能な調節可能な圧縮付与要素（６０）（ねじ付きボルト、および合致するねじが設けられたねじ穴またはナット、など）を備え得る。この圧縮力は、圧縮力軸（６１）に沿って作用することができ、この圧縮力を加える（おそらくは、例えば調節可能な圧縮付与要素がボルトおよびナットである場合に、時計回りに回転させる）ことによって、オンオフ可能なマイクロホン支持ブーム・ヨー分離要素がオフにされ得（例えば、ヨーの分離の終了）、そしてこの圧縮力を解除することによって、オンオフ可能なマイクロホン支持ブーム・ヨー分離要素がオン（例えば、ヨーの分離の開始）にされ得る。
【００２４】
さらに、本発明の少なくとも一つの実施形態においては、マイクロホン支持ブーム多自由度運動制御要素は、完全なマイクロホン支持ブーム保持設定から不完全なマイクロホン支持ブーム保持設定まで、調節可能であり得る。完全なマイクロホン支持ブーム保持設定とは、取り付け要素および／またはマイクロホン・スタンドに対するマイクロホン支持ブームのすべての運動を防止する設定である。完全なマイクロホン支持ブーム保持設定においては、マイクロホン支持ブームの運動について、取り付け要素および／またはマイクロホン・スタンドからのいかなる型の分離も存在しない。不完全なマイクロホン支持ブーム保持設定においては、少なくともマイクロホン支持ブームのヨーの分離が存在する。実際、取り付け要素が完全に係合した状態にあり、マイクロホン支持ブーム多自由度運動制御要素が不完全なマイクロホン支持ブーム保持設定にあるときに、オンオフ可能なマイクロホン支持ブーム・ヨー分離要素が、マイクロホン支持ブームのヨーを取り付け要素から分離するように機能し得る。
【００２５】
本発明の少なくとも一つの実施形態においては、調節可能な圧縮付与要素によって、完全なマイクロホン支持ブーム保持設定（計画どおりの力の付与のもとで、取り付け要素またはマイクロホン・スタンドに対するマイクロホン支持ブームの運動が不可能である）から不完全なマイクロホン支持ブーム保持設定（計画どおりの力が加わったときに、マイクロホン・スタンドの取り付け要素に対して、マイクロホン支持の少なくとも一自由度について運動が可能である）まで、マイクロホン支持ブーム多自由度運動制御要素を調節し得る。
【００２６】
マイクロホン支持ブーム運動制御装置は、さらに、マイクロホン支持ブームの他の運動（すでに述べたマイクロホン支持ブームの他のあらゆる自由度の運動など）を許す前にマイクロホン支持ブームのヨーを許すように構成された優先的なマイクロホン支持ブーム・ヨー分離要素（６２）を有し得る。このヨーの優先的な分離は、取り付け要素を完全に係合させたとき、オンオフ可能なマイクロホン支持ブーム・ヨー分離要素をオンにする際に提供され得る。少なくとも１つの実施形態においては、優先的なマイクロホン支持ブーム・ヨー分離要素は、少なくとも１つが円錐台形状である摩擦ヨー表面（６４）および少なくとも１つが円錐台形状である摩擦ピッチ表面（６９）をそれ自身が有し得る、二重円錐ヨー・クラッチ（６３）を備え得る。円錐台形状の摩擦ヨー表面（６５）は、摩擦ピッチ表面近傍圧縮力軸（６７）（摩擦ヨー表面の近傍にあり、好ましい実施形態においては水平である圧縮力の付与軸）に対して摩擦ヨー表面角度（６６）を有し得、そしてマイクロホン支持ブーム・ヨー軸（７４）（すなわち、ヨー発生の中心となりうる軸であって、垂直であっても垂直でなくてもよい）と共直線である摩擦ヨー表面軸（６８）（摩擦ヨー表面によって何らかのかたちで定められる軸）を有し得る。円錐台形状の摩擦ピッチ表面（７０）は、摩擦ピッチ表面近傍圧縮力軸（７２）（当該摩擦ピッチ表面の近傍にあり、好ましい実施形態においては支持ブーム運動制御装置が据え付けられたときに水平である圧縮力の付与軸）に対して摩擦ピッチ表面角度（７１）を有し得、マイクロホン支持ブーム・ピッチ軸（７５）（すなわち、ピッチ発生の中心となりうる軸）と共直線である摩擦ピッチ表面軸（７３）を有し得る。一般に、二重円錐ヨー・クラッチは、これらの要素を含む任意の装置であり得る。
【００２７】
少なくとも一つの実施形態においては、摩擦ヨー表面角度が、摩擦ピッチ表面角度よりも大であり、ヨー回転可能摩擦ヨー表面（ヨー軸の周りで回転可能な摩擦ヨー表面）に作用する垂直力、およびしたがってこの表面に作用する摩擦力が、ピッチ回転可能摩擦ピッチ表面（ピッチ軸の周りで回転可能な摩擦ピッチ表面）に作用する垂直力、およびこれに関係する摩擦力に比べ、それぞれ小さくなる。当然ながら、これらの回転可能摩擦表面は、関連の運動（例えば、ヨーまたはピッチ）が生じるときに回転する摩擦面である。この摩擦面の角度の相違が、マイクロホン支持ブーム・ヨーの差別化、あるいはさらに具体的にはマイクロホン支持ブーム・ヨーの優先的な分離または解放を達成するための１つの手段である。実際、これを使用して、ある自由度の運動の、他の自由度からの優先的な分離を達成し得る。接触するある１組の摩擦面が他の１つの内側に設定され、さらにある１つの自由度についての運動を他の自由度についての運動に対して優先的に分離できるように角度が操作された場合、二重円錐ヨー・クラッチは、入れ子式二重円錐クラッチ（７６）と称され得、あるいはより一般的に、入れ子式円錐クラッチと称され得る。優先的に分離される自由度がヨーである場合には、二重円錐クラッチは、二重円錐ヨー・クラッチと称され得、そして入れ子式二重円錐クラッチは、入れ子式二重円錐ヨー・クラッチと称され得る。
【００２８】
本発明の少なくとも一つの実施形態においては、優先的なマイクロホン支持ブーム・ヨー分離要素が、ヨー表面静止摩擦係数を呈する摩擦ヨー表面、およびピッチ表面静止摩擦係数を呈する摩擦ピッチ表面を有し得る。これらの静止摩擦係数の値は、ヨーをピッチに対して差別的または優先的に分離または解放できるように操作され得る。この優先的な分離は、ヨー表面静止摩擦係数がピッチ表面静止摩擦係数よりも小さいときにもたらされる。関連する静止摩擦係数の操作は、単独で使用され得るか、１つ以上の他の手法と組み合わせて使用され得るか、または優先的なマイクロホン支持ブーム・ヨー分離を達成し得る。
【００２９】
少なくとも１つの実施形態において、優先的なマイクロホン支持ブーム・ヨー分離要素は、マイクロホン支持ブーム・ヨー軸に対して有効ヨー表面モーメント・アーム（７８）を有するヨー回転可能摩擦ヨー表面（７７）、およびマイクロホン支持ブーム・ピッチ軸に対して有効ピッチ表面モーメント・アーム（８０）を有するピッチ回転可能摩擦ピッチ表面（７９）を有し得、ヨーの優先的分離は、有効ヨー表面モーメント・アームが有効ピッチ表面モーメント・アームよりも小さくなるように装置を設計および製造することによって達成され得る。基本的な静力学によれば、ヨー回転可能摩擦ヨー表面に作用する摩擦力がピッチ回転可能摩擦ピッチ表面に作用する摩擦力と同じあっても、ヨー回転可能摩擦ヨー表面に作用する摩擦力の付与点から関連する回転軸（ここでは、ヨー軸）までの距離が、ピッチ回転可能摩擦ピッチ表面に作用する摩擦力の付与点からピッチ軸までの距離よりも小さいならば、ヨーの優先的分離が達成され得る。
【００３０】
ある自由度における運動について所望の優先的分離を達成するためにすでに述べた関連する特定の設計パラメータおよび／または寸法を単に調節するだけでは、すべてのマイクロホン支持用途において所望の優先的分離がもたらされるわけではないことを理解することが重要である。説明として、過度に重いマイクロホンがマイクロホン支持ブームの端部に配置され、このブームの反対側の端部がマイクロホン支持ブーム運動制御装置に取り付けられている極端な場合を検討する。当然ながら、このような設定は、設定全体を（構造部品間の相対運動を防止することによって）そのままに保ち得る圧縮を最初に解除したとき、運動制御装置が好都合に引き起こされるヨー運動を可能にするために十分に緩められるよりも前にピッチが（例えば、マイクロホン支持アセンブリの直近のユーザによる力のいかなる付与もなしで）生じ得るので、優先的なヨーの分離を生み出そうとするあらゆる設計上の試みを「無効化」し得るような過度のピッチ・モーメントまたはトルク（マイクロホンおよびマイクロホン側の支持ブームの重量、ならびにこの合成重量が実効的に作用するモーメント・アームによって生じる）をもたらす。ここで、好都合に引き起こされるヨー運動とは、設計によって意図されたヨーの誘起の様式を意味し、すなわちマイクロホン・スタンドを把持することなく、マイクロホン・スタンドの基部をマイクロホン・スタンドの基部が接している床に対して動かすことなく、さらにマイクロホン・スタンドの軸の傾きを生じさせることなく、単純に横方向の力によってマイクロホンまたはマイクロホン支持ブームを押すことによるヨー運動の誘起を意味している。このように、本明細書中に開示される、優先的解放を達成する種々の様式は、考えられるすべての構成において、意図する優先的または差別的解放をもたらさないかもしれない。
【００３１】
少なくとも一つの実施形態においては、マイクロホン支持ブーム多自由度運動制御要素は、マイクロホン支持ブームの運動がマイクロホン支持ブームの軸方向の並進であろうとマイクロホン支持ブームの軸回転であるであろうと、この運動を、少なくとも１つのマイクロホン支持ブーム軸自由度についても制御するように構成され得る。マイクロホン支持ブーム運動制御装置は、ヨーの優先的分離の開始後に、少なくとも１つのマイクロホン支持ブーム軸自由度についての運動をマイクロホン・スタンドから分離するように構成された非優先的なマイクロホン支持ブーム軸自由度運動分離要素（８３）をさらに備え得る。当然ながら、そのような運動の分離は、マイクロホン支持ブームの軸方向の並進および／またはマイクロホン支持ブームの軸回転がマイクロホン・スタンドの運動と無関係に生じ得る場合に生じ、その結果、例えば、支持ブームの軸方向の並進がマイクロホン・スタンドのいかなる運動ももたらさない。あらゆるマイクロホン支持ブーム多自由度運動制御要素が、優先的なマイクロホン支持ブーム・ヨー分離要素および／または非優先的なマイクロホン支持ブーム軸自由度運動分離要素を備え得ることを理解することが重要である。
【００３２】
少なくとも一つの実施形態において、非優先的なマイクロホン支持ブーム軸自由度運動分離要素は、少なくとも４つの摩擦マイクロホン支持ブーム軸運動表面（８４）を有し得、そのうちの少なくとも２つが、ブーム軸運動摩擦表面近傍圧縮力軸（８６）（当該摩擦マイクロホン支持ブーム軸運動表面の近傍にあり、好ましい実施形態においては水平である圧縮力の付与軸）に対してマイクロホン支持ブーム軸自由度運動摩擦角度（８５）を有し得、そしてこの角度は、摩擦ヨー表面角度よりも小さい。このようにして、マイクロホン支持ブームに作用する摩擦力を、ヨー回転可能摩擦ヨー表面に作用する摩擦力よりも大きくでき、２つのマイクロホン支持ブーム軸自由度運動の一方または両者について、非優先的な分離が生じ得る。少なくとも一つの実施形態においては、マイクロホン支持ブーム軸自由度運動のいずれかについてピッチ分離に対する非優先的な分離を達成するために、マイクロホン支持ブーム軸自由度運動摩擦角度が摩擦ピッチ角度よりも小さくあり得る。
【００３３】
角度が圧縮力の軸に対して測定されたと示されているとき、この角度が、マイクロホン支持ブーム運動装置が据え付けられた状態にあるときに、外部から付与された力が内部部品を動かそうとする軸に対して測定されることを理解することが重要である（ほとんどの用途において、この軸は水平である）。したがって、内部の表面（垂直であろうと、垂直から外れていようと）に作用するあらゆる垂直力の水平成分が、圧縮力軸とみなされる。さらに、角度は、それぞれ（ａ）当該円錐の長手軸を含んでいる平面内に位置（当該表面が円錐クラッチの一部である場合）するか、あるいは（ｂ）円柱または円筒構造体の長手軸に直交する平面内に位置（包括的に保持されたマイクロホン支持ブームの軸運動を非優先的に分離するように角度をつけられ得るマイクロホン支持ブームおよび摩擦マイクロホン支持ブーム軸運動表面の場合に見られ得るように）する直線（一方が当該表面と平行であり、他方が圧縮軸と平行である）の間で測定される。
【００３４】
少なくとも一つの実施形態において、非優先的なマイクロホン支持ブーム軸自由度運動分離要素が、マイクロホン支持ブームの外表面（８８）に静的に接したときにマイクロホン支持ブーム軸自由度表面静止摩擦係数を呈する少なくとも１つの摩擦マイクロホン支持ブーム軸自由度表面（８７）を有し得る。２つのマイクロホン支持ブーム軸自由度運動のいずれかの、ヨーに対する非優先的な分離を達成するために、マイクロホン支持ブーム軸自由度表面静止摩擦係数は、ヨー表面静止摩擦係数よりも大きくあり得る。さらに、２つのマイクロホン支持ブーム軸自由度運動のいずれかの、ピッチに対する非優先的な分離を達成するために、マイクロホン支持ブーム軸自由度表面静止摩擦係数は、ヨー表面静止摩擦係数よりも大きくあり得る。
【００３５】
少なくとも一つの実施形態においては、非優先的なマイクロホン支持ブーム軸自由度運動分離要素が、マイクロホン支持ブーム・ピッチ軸が外部圧縮付与軸（９１）から第１の距離（９０）にあり、マイクロホン支持ブーム摩擦力（例えば、ブームの軸自由度運動を防止するようにマイクロホン支持ブームに直接作用する摩擦力）の付与の有効点（９２）が外部圧縮付与軸から第２の距離（９３）にあり、第１の距離が第２の距離よりも大きくなるように構成された締め具（８９）を有し得る。外部圧縮軸は、外部から付与される圧縮力と共直線である軸であり得、調節可能圧縮付与要素の一部である任意のねじまたはボルトと共直線であり得る。マイクロホン支持ブーム摩擦力の付与の有効点は、一般に、外部圧縮軸から最も近いマイクロホン支持ブーム摩擦力付与の縁と、外部圧縮軸から最も遠いマイクロホン支持ブーム摩擦力付与の縁との間の点に位置している。このようにして、マイクロホン支持ブームに作用する摩擦力は、ピッチ回転可能摩擦ピッチ表面に作用する摩擦力よりも大きくあり得る。このように摩擦力を操作することで、マイクロホン支持ブームのあらゆる軸運動の、マイクロホン支持ブームのピッチに対する非優先的な分離を生じ得る。
【００３６】
本発明の少なくとも一つの実施形態においては、マイクロホン支持ブーム多自由度運動制御要素は、マイクロホン支持ブーム・ヨーおよびマイクロホン支持ブーム・ピッチを制御するように構成され得る。他の少なくとも１つの実施形態においては、さらにマイクロホン支持ブームの軸方向の並進または軸回転を制御するようにもまた構成され得、さらに別の実施形態においては、マイクロホン支持ブームの４つの自由度、すなわちマイクロホン支持ブームのヨー、マイクロホン支持ブームのピッチ、マイクロホン支持ブームの軸方向の並進、およびマイクロホン支持ブームの軸回転を制御するように構成され得る。本発明の少なくとも一つの実施形態は、４つの自由度についてマイクロホン支持ブームの運動を制御するように構成されたマイクロホン支持ブーム多自由度運動制御要素を備え得る。
【００３７】
本発明の少なくとも一つの実施形態は、取り付け要素が完全に係合した状態にあるときに、マイクロホン支持ブーム・ヨー軸の周りでのマイクロホン支持ブームのヨーを取り付け要素から分離するために、ジャムナットを有さない。
【００３８】
本発明の少なくとも一つの実施形態においては、マイクロホン支持ブーム運動制御装置は、それ自身が二重対向円錐要素（例えば、二重対向円錐ピッチ要素（９８））と、この二重対向円錐要素と界面を接するように構成された内表面（１００）を有するシェル（例えば、ピッチ・シェル（９９））とを備え得る、マイクロホン支持ブーム・ピッチ分離要素（９７）をさらに備え得る。二重対向円錐要素およびシェルに付与されている圧縮力（外部から付与されている圧縮力など）を解放すると、マイクロホン・ブーム要素のピッチが、マイクロホン・スタンドおよび／または取り付け要素から分離され得る。少なくとも本発明の一実施の形態において、マイクロホン支持ブーム・ヨー案内要素は、二重対向円錐要素（１０３）と、この二重対向円錐要素と界面を接するように構成された内表面（１０５）を有するシェル（１０４）とを備え得る。さらに、本発明の少なくとも一つの実施形態は、ほぼ円形の凹状チャネル（１０１）およびほぼリング状のキー（１０２）を備えることができ、キー（１０２）の少なくとも一部分が、ほぼ円形の凹状チャネルに嵌まり込むように構成される。一般に、ヨーを可能にしヨー軸の周りでの関連の回転を方向付けるようにとくに構成されたあらゆる部品は、マイクロホン支持ブーム・ヨー案内要素と称され得る。
【００３９】
さらに、マイクロホン支持ブーム運動制御装置の使用または取り扱いの方法（マイクロホン支持ブーム運動制御取り扱い方法）も、本発明の主題の一局面であり、回転可能な取り付け要素のヨーをマイクロホン・スタンドから分離するため、オンオフ可能なマイクロホン支持ブーム・ヨー分離要素を（あくまで一例であるが、ねじ付きボルトを回転させることによって）オンにするステップ、およびマイクロホン支持ブーム多自由度運動制御要素を回転させることなく、回転可能な取り付け要素をマイクロホン・スタンドへと完全に係合するまで回転させて取り付けるステップを含み得、オンオフ可能なマイクロホン支持ブーム・ヨー分離要素は、マイクロホン支持ブームの運動を少なくとも３つの自由度について制御するよう構成されたマイクロホン支持ブーム多自由度運動制御要素の一部を形成し得る。この取り扱い方法は、さらに、マイクロホン支持ブームを、マイクロホン支持ブーム多自由度運動制御要素の一部を形成するマイクロホン支持ブーム保持要素に、圧縮によって保持するステップを含み得る。さらに、この取り扱い方法は、保持されているマイクロホン支持ブームに手動による横方向の力を加えたときに、保持されているマイクロホン支持ブームにピッチを生じることなく（すなわち、保持されているマイクロホン支持ブームのヨーを生じさせるための手動による横方向の力の付与が、保持されているマイクロホン支持ブームのピッチを生じさせない）、保持されているマイクロホン支持ブームのヨーを可能にするように、調節可能な圧縮付与要素を（例えば回転などによって）調節するステップ、およびマイクロホン支持ブームのピッチを生じることなくマイクロホン支持ブームのヨーを発生させるように、保持されているマイクロホン支持ブームに手動による横方向の力を加える（当然ながら、これはブームに直接触れることによって行い得るか、あるいはブームに支持または取り付けされているマイクロホンに触れることによって実行され得る）ステップを含み得る。少なくとも一つの実施形態において、この取り扱い方法は、保持されているマイクロホン支持ブームに手動による横方向の力を加えたときに、保持されているマイクロホン支持ブームにマイクロホン支持ブーム軸自由度運動（例えば、マイクロホン支持ブームの軸方向の並進またはマイクロホン支持ブームの軸回転）を生じることなく、保持されているマイクロホン支持ブームのヨーを可能にするため、調節可能な圧縮付与要素をさらに調節するステップ、およびマイクロホン支持ブーム軸自由度運動を生じさせることなくマイクロホン支持ブームのヨーを発生させるため、保持されているマイクロホン支持ブームに手動による横方向の力を加えるステップを含み得る。この取り扱い方法は、保持されているマイクロホン支持ブームに手動による垂直力を加えたときに、保持されているマイクロホン支持ブームにマイクロホン支持ブーム軸自由度運動を生じさせることなく、保持されているマイクロホン支持ブームのピッチを可能にするように、調節可能な圧縮付与要素をさらに調節するステップ、およびマイクロホン支持ブーム軸自由度運動を生じさせることなくマイクロホン支持ブームのピッチを発生させるように、保持されているマイクロホン支持ブームに手動による垂直力を加えるステップを含み得る。少なくとも一つの実施形態において、オンオフ可能なマイクロホン支持ブーム・ヨー分離要素は、マイクロホン支持ブームの運動を４つの自由度について制御するよう構成されたマイクロホン支持ブーム多自由度運動制御要素の一部を形成し得る。これら４つの自由度は、マイクロホン支持ブームのヨー、マイクロホン支持ブームのピッチ、マイクロホン支持ブームの軸方向の並進、およびマイクロホン支持ブームの軸回転を含み得る。
【００４０】
本発明の独立した一局面は、優先的なマイクロホン支持ブーム自由度運動分離要素として使用され得る二重円錐クラッチである。二重円錐クラッチは、マイクロホン支持ブームのある好ましい自由度についての運動（あくまで一例であるが、ヨーなど）を、マイクロホン支持ブームの他のあらゆる自由度についての運動（従属的自由度の運動、または従属的運動）を許容する前に、許容し得る。マイクロホン支持ブームの移動（または運動）を制御する用途において、二重円錐クラッチは、少なくとも１つが円錐台形状である摩擦優先運動表面および少なくとも１つが円錐台形状である摩擦従属運動表面を備え得、円錐台形状の摩擦優先運動表面が、摩擦優先運動表面近傍圧縮力軸に対して摩擦優先運動表面角度を有し、マイクロホン支持ブーム優先運動軸と共直線である摩擦優先運動表面軸を有し、そして円錐台形状の摩擦従属運動表面が、摩擦従属運動表面近傍圧縮力軸に対して摩擦従属運動表面角度を有し、マイクロホン支持従属運動軸と共直線である摩擦従属運動表面軸を有しており、摩擦優先運動表面角度が摩擦従属運動表面角度よりも大きく、二重円錐クラッチは、マイクロホン支持ブームのある好ましい自由度についての運動を、マイクロホン支持ブームの他の自由度についての運動を許容する前に許容し、二重円錐クラッチによって、ある好ましい自由度についての運動をマイクロホン・スタンドから分離する。少なくとも一つの実施形態において、二重円錐クラッチは、入れ子式の二重円錐クラッチである。当然ながら、その使用が「優先運動」または「従属運動」を含む前記用語は、同一であるがそれらの用語「優先運動」または「従属運動」の使用のためである用語の定義と類似（しかしながら、より広い）の定義を有する。例えば、摩擦優先運動表面角度は、摩擦優先運動表面角度がヨーには限られず、いずれにせよより広い「優先運動」に限られる点で、摩擦ヨー表面角度に与えられるものと同様であるがより広い定義を有する。
【００４１】
前記実施形態および図面に開示されている追加の実施形態はいずれも、マイクロホン支持ブームだけでなく、これらに限られるわけではないが他の音楽関連装置のための構造的支持（ブームなど）、測定用器具および／またはセンサ装置のための構造的支持、および光源のための構造的支持、または空間的再配置が望まれるかあるいは好都合である他の構造体などの他の構造体の制御をも可能にするように、意図される。本質的に、請求項中に存在し得るマイクロホン関連の用語の削除、およびおそらくはマイクロホン支持ブーム以外の用途に関連する用語による置き換えは、本件出願人が後に求める保護の範囲を定める請求項をもたらす。
【００４２】
以上から容易に理解できるとおり、本発明の基本的な考え方を、さまざまなやり方で具現化することができる。構造的保持および運動分離の技法、ならびに適切な構造的保持および運動分離を達成するための装置の両者が包含される。この出願において、構造的保持および運動分離の技法は、前記さまざまなデバイスによって達成されるとして示されている結果の一部として開示され、利用に固有のステップとして開示されている。それらは単純に、意図および前記説明のとおりのデバイスの使用の自然な結果である。さらに、いくつかのデバイスが開示されるが、それらがある特定の方法を達成するだけではなく、さまざまなやり方で変更可能であることを理解しなければならない。重要なことに、前記すべてに関し、これらの切り口のすべてが本明細書の開示に包含されると理解すべきである。
【００４３】
この特許出願に含まれている説明は、基本的説明として機能することを意図したものである。読者は、特定の説明が、考えられるすべての実施形態を明示しないかもしれず、多くの代案が包含されていることを認識すべきである。さらに、本発明の一般的性質が完全に説明されているわけではなく、特徴または要素のそれぞれが、実際にどのようにしてより広い機能または多種多様な代案または均等な要素の代表であり得るのかについて、明示されているわけではないかもしれない。繰り返すが、それらは本明細書の開示に含まれている。本発明がデバイスに向けた用語で記載されたとき、そのデバイスの各要素がある機能を実行することが含まれる。装置の請求項が、前記デバイスに関して含まれ、さらに方法またはプロセスの請求項が、本発明または各要素が実行する機能に向けて含まれている。説明および用語のいずれも、この特許出願の請求項の技術的範囲を限定しようとするものではない。
【００４４】
本発明の本質から離れることなくさまざまな変更が可能であることも、理解すべきである。そのような変更も、本明細書に暗黙裡に含まれている。それらは、依然として本発明の技術的範囲内にある。明示した実施形態、および多種多様な暗黙裡の他の実施形態の両者、ならびに幅広い方法またはプロセスなどを包含する幅広い開示が、本明細書の開示に包含される。それらは、この特許出願の各請求項の裏付けとして依存することができる。この特許出願は、本発明の多数の局面を、別個独立および全体システムとしての両者によって保護する特許を生むように計画されている。
【００４５】
さらに、本発明および請求項のさまざまな要素のそれぞれは、さまざまなやり方で実現することができる。本明細書の開示は、任意の装置の実施形態、あるいは方法またはプロセスの実施形態の一実施の形態の変形、または単にそれらの任意の要素の変形であっても、そのような変形のそれぞれを包含すると理解すべきである。とくに、開示が本発明の要素に関連するとき、各要素についての用語が、例え機能または結果のみが同一である場合でも、均等な装置の用語または方法の用語で表現されてもよいことを理解すべきである。そのような均等で、幅広く、あるいはより一般的でさえある用語は、各要素または作用についての記載に包含されるものと理解されるべきである。そのような用語は、望まれる場合には、この発明の与えられるべき暗黙の幅広い保護を明示するために置き換えることが可能である。あくまで一例であるが、すべての作用を、当該作用を行なうための手段として、あるいは当該作用を生じさせる要素として表現することができることを、理解すべきである。同様に、開示された物理的要素のそれぞれは、当該物理的要素が促進する作用の開示を包含するものと理解すべきである。この最後の局面に関し、あくまで一例であるが、「取り付け要素」という開示を、明示されているか否かにかかわらず「取り付け」の作用の開示を包含するものと理解すべきであり、反対に、「取り付け」の作用の開示が有効に存在するのであれば、そのような開示を「取り付け要素」、さらには「取りつけのための手段」の開示を包含するものとして理解すべきである。このような変更および代替の用語は、本明細書に明示的に含まれていると理解すべきである。
【００４６】
【表１】
2006515967.tif 000003
この特許出願において言及され、あるいは上記リストに挙げられたすべての特許、刊行物、または他の文献は、本明細書中に参考として援用される。優先権に関する件である２００３年１月１５日付の米国特許出願第１０／３４５，６２２号は、すべての図面および添付物を含めて、本明細書中に参考として援用される。さらに、使用した各用語に関し、この出願における使用がそのような解釈と矛盾しない限り、一般の辞書の定義がそれぞれの単語について受け入れられると理解すべきであり、すべての定義、代わりの用語、およびＲａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ，第２版に含まれているものなどの同意語が、本明細書中に参考として援用される。最後に、Ｒｅｆｅｒｅｎｃｅｓ  Ｔｏ  Ｂｅ  Ｉｎｃｏｒｐｏｒａｔｅｄ  Ｂｙ  Ｒｅｆｅｒｅｎｃｅ  Ｉｎ  Ａｃｃｏｒｄａｎｃｅ  Ｗｉｔｈ  Ｔｈｅ  Ｐａｔｅｎｔ  Ａｐｐｌｉｃａｔｉｏｎのリストに挙げられたすべての文献、あるいは本件出願とともに提出する他の情報開示陳述書または引用が、本明細書に添付され、本明細書中に参考として援用されるが、上記のそれぞれに関し、言及によって組み込まれたこのような情報または陳述が、この／これらの発明への特許の付与と矛盾すると考えられる範囲において、そのような陳述は明らかに本件出願人によってなされたと考えるべきではない。
【００４７】
したがって、本件出願人が、少なくとも、ｉ）本明細書に開示および説明した保持デバイスのそれぞれ、ｉｉ）開示および説明した関連の方法、ｉｉｉ）これらデバイスおよび方法のそれぞれの類似の、均等の、さらには暗黙裡の変形、ｉｖ）開示および説明によって示した機能のそれぞれを達成する代案となる設計、ｖ）開示および説明したそれを達成するために暗黙であるとして示した機能のそれぞれを達成する代案となる設計および方法、ｖｉ）別個かつ独立した発明として示された特徴、構成要素、およびステップのそれぞれ、ｖｉｉ）開示したさまざまなシステムまたは構成要素によって向上が図られる用途、ｖｉｉｉ）そのようなシステムまたは構成要素によって生み出されて得られる製品、ｉｘ）添付の例のいずれかを参照しつつこれまでに事実上説明した方法およびデバイス、ｘ）開示した要素のそれぞれのさまざまな組み合わせおよび置換、およびｘｉ）提示したあらゆる独立請求項または概念への従属性としての潜在的な従属請求項または概念のそれぞれを請求していると理解すべきである。この点に関し、現実的な理由で、潜在的に数百にもなりうる請求項の追加を避けるため、本件出願人が、最初の従属性を有する請求項のみを最終的に提示するであろう点を、理解すべきである。ある１つの独立請求項または概念のもとで提示された種々の従属性または他の要素のいずれかを、他のいずれかの独立請求項または概念の従属性または要素として追加することを許すため、これらに限られるわけではないが、欧州特許条約第１２３条（２）項および米国特許法３５  ＵＳＣ  １３２条または他のそのような条項を含む新規事項に関する法のもとで要求される程度のサポートが存在すると理解すべきである。
【００４８】
この出願または引き続くあらゆる出願において、請求項を作成するときは常に、出願人が合法的に得られる完全かつ幅広い保護の範囲を得ようと意図していることを理解すべきである。非実質的な置換が行なわれ、出願人が実際に請求項を特定の実施形態を文言上包含するように請求項を記載しておらず、そのようでなければ適用可能である範囲において、出願人が、単に出願人がすべての偶然性を先取りすることができなかったに過ぎず、当業者がそのような代替の実施形態を文言上包含する請求項を作成することを妥当には期待できなかったそのような保護範囲の放棄を意図し、あるいは実際に放棄したと決して考えるべきではない。
【００４９】
さらに、移行句「を含む」が使用される場合、その使用は、従来からの請求項の解釈に従って請求項をここで「オープンエンド」に維持するために使用される。したがって、文脈がそのようではないと要求しない限り、用語「を含む」またはその変種である「有する」または「備える」などは、述べられている要素またはステップ、あるいは要素またはステップのグループを含むことを意味することを意図しているが、他の要素またはステップ、あるいは要素またはステップのグループを除外することを意味するものではないと理解すべきである。そのような用語は、出願人に法的に許される最大の保護を許すため、それらの最も広い形態で解釈されるべきである。
【００５０】
あらゆる時点において記載されたあらゆる請求項は、ここでの言及によって本発明のこの明細書の一部として組み込まれ、本件出願人は、そのような請求項のそのように組み込まれた内容のすべてまたは一部を、いずれかまたはすべての請求項またはそれらに任意の要素または構成要素をサポートする追加の説明として使用する権利をここに明白に留保し、さらに本件出願人は、そのような請求項の組み込まれた内容の一部またはすべてあるいはそれらの要素または構成要素を、この出願または引き続くあらゆる継続、分割、または部分継続出願によって保護を求める主題を定めるため、あるいはあらゆる国家または条約の特許法、規則、または規定に関してそれらの利益を得、それらに従う費用を低減し、あるいはそれらに合致するために必要なとおり、明細書から請求項へと移動させ、あるいはその逆に移動させる権利をここに明白に留保し、言及によって組み込まれたそのような内容は、引き続くあらゆる継続、分割、または部分継続出願を含み、あるいは再発行または延長を含むこの出願の全係属期間を通じて存続するものとする。
【図面の簡単な説明】
【００５１】
【図１】図１は、マイクロホン支持ブーム運動制御装置およびマイクロホン支持ブームの分解斜視図を示す。
【図２】図２は、マイクロホン支持ブーム運動制御装置およびマイクロホン支持ブームの斜視図を示す。
【図３】図３は、保持されたブーム軸に沿って眺めたマイクロホン支持ブーム運動制御装置およびマイクロホン支持ブームを二等分切断図で示す。
【図４】図４は、マイクロホン支持ブーム運動制御装置の約半分のある部品の分解斜視図を示す。
【図５】図５は、マイクロホン支持ブーム運動制御装置およびマイクロホン支持ブームの分解斜視図を示す。
【図６】図６は、保持されたブーム軸に沿って眺めたマイクロホン支持ブーム運動制御装置およびマイクロホン支持ブームを断面図で示す。
【図７】図７は、優先的なヨーの解放および従属的なピッチの解放をもたらす二重円錐クラッチの機能部品の断面図を示す。
【図８】図８は、優先的なピッチの解放および従属的なヨーの解放をもたらす二重円錐クラッチの機能部品の断面図を示す。
【図９】図９は、マイクロホン支持ブーム運動制御装置およびマイクロホン支持ブームの斜視切断図を示す。
【図１０】図１０は、マイクロホン支持ブーム運動制御装置のあるいくつかの部品およびマイクロホン支持ブームの分解斜視図を示す。
【図１１】図１１は、回転運動制御装置の単なる一例の分解斜視図を示す。
【図１２】図１２は、回転運動制御装置の単なる一例の分解斜視図を示す。
【図１３】図１３は、マイクロホン支持ブーム保持要素の断面図を示す。
【図１４】図１４は、マイクロホン支持ブーム保持要素の一部を形成し得るスリーブの断面図を示す。
【図１】
2006515967.tif 000004
【図２】
2006515967.tif 000005
【図３】
2006515967.tif 000006
【図４】
2006515967.tif 000007
【図５】
2006515967.tif 000008
【図６】
2006515967.tif 000009
【図７】
2006515967.tif 000010
【図８】
2006515967.tif 000011
【図９】
2006515967.tif 000012
【図１０】
2006515967.tif 000013
【図１１】
2006515967.tif 000014
【図１２】
2006515967.tif 000015
【図１３】
2006515967.tif 000016
【図１４】
2006515967.tif 000017
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
マイクロホン支持ブーム運動制御装置であって、
マイクロホン支持ブームのヨー、マイクロホン支持ブームのピッチ、マイクロホン支持ブームの軸方向の並進、およびマイクロホン支持ブームの軸回転を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、該マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、ならびに
該マイクロホン支持ブームが従動するマイクロホン支持ブーム保持要素
を備え、
該マイクロホン支持ブーム多自由度運動制御要素が、マイクロホン支持ブームが一方向に従動するマイクロホン支持ブーム・ヨー案内要素を備えており、
該オンオフ可能なマイクロホン支持ブーム・ヨー分離要素が、該オンオフ可能なマイクロホン支持ブーム・ヨー分離要素をオフおよびオンにするように、圧縮力軸に沿って作用する圧縮力を付与および解除するように動作できる調節可能な圧縮付与要素を備えており、
該調節可能な圧縮付与要素が、該マイクロホン支持ブーム多自由度運動制御要素を、完全なマイクロホン支持ブーム保持設定から不完全なマイクロホン支持ブーム保持設定まで調節可能にしており、
該マイクロホン支持ブームのヨーを、該マイクロホン支持ブームの他の運動を許容するよりも前に許容する、優先的なヨーの分離のために構成された優先的マイクロホン支持ブーム・ヨー分離要素をさらに備えており、
該優先的なヨーの許容が、該取り付け要素が完全に係合しているときに、該オンオフ可能なマイクロホン支持ブーム・ヨー分離要素をオンにすることによってもたらされる
マイクロホン支持ブーム運動制御装置。
【請求項２】
前記優先的マイクロホン支持ブーム・ヨー分離要素が、
（ａ）少なくとも１つが円錐台形状である摩擦ヨー表面であって、該円錐台形状の摩擦ヨー表面が、摩擦ヨー表面近傍圧縮力軸に対して摩擦ヨー表面角度を有するとともに、前記マイクロホン支持ブーム・ヨー軸と共直線である摩擦ヨー表面軸を有している摩擦ヨー表面、および
（ｂ）少なくとも１つが円錐台形状である摩擦ピッチ表面であって、該円錐台形状の摩擦ピッチ表面が、摩擦ピッチ表面近傍圧縮力軸に対して摩擦ピッチ表面角度を有するとともに、マイクロホン支持ピッチ軸と共直線である摩擦ピッチ表面軸を有している摩擦ピッチ表面
を有する二重円錐ヨー・クラッチを備え、
該摩擦ヨー表面角度が該摩擦ピッチ表面角度よりも大きい
請求項１に記載のマイクロホン支持ブーム運動制御装置。
【請求項３】
前記優先的マイクロホン支持ブーム・ヨー分離要素が、
（ａ）ヨー表面静止摩擦係数を呈する摩擦ヨー表面、および
（ｂ）ピッチ表面静止摩擦係数を呈する摩擦ピッチ表面
を備え、
該ヨー表面静止摩擦係数が該ピッチ表面静止摩擦係数よりも小さい
請求項１に記載のマイクロホン支持ブーム運動制御装置。
【請求項４】
前記優先的マイクロホン支持ブーム・ヨー分離要素が、
（ａ）前記マイクロホン支持ブーム・ヨー軸に対して有効ヨー表面モーメント・アームを有しているヨー回転可能摩擦ヨー表面、および
（ｂ）前記マイクロホン支持ブーム・ピッチ軸に対して有効ピッチ表面モーメント・アームを有しているピッチ回転可能摩擦ピッチ表面
を備え、
該有効ヨー表面モーメント・アームが該有効ピッチ表面モーメント・アームよりも小さい
請求項１に記載のマイクロホン支持ブーム運動制御装置。
【請求項５】
前記ヨーの優先的許容の開始後に、前記マイクロホン支持ブームの軸方向の並進および前記マイクロホン支持ブームの軸回転を前記マイクロホン・スタンドから分離するように構成された非優先的マイクロホン支持ブーム軸自由度運動分離要素をさらに有している
請求項２、３、または４に記載のマイクロホン支持ブーム運動制御装置。
【請求項６】
前記非優先的マイクロホン支持ブーム軸自由度運動分離要素が、少なくとも４つの摩擦マイクロホン支持ブーム軸運動表面を有しており、該摩擦マイクロホン支持ブーム軸運動表面の少なくとも２つが、ブーム軸運動摩擦表面近傍圧縮力軸に対してマイクロホン支持ブーム軸自由度運動摩擦角度を有しており、該マイクロホン支持ブーム軸自由度運動摩擦角度が前記摩擦ヨー表面角度よりも小さい請求項５に記載のマイクロホン支持ブーム運動制御装置。
【請求項７】
前記非優先的マイクロホン支持ブーム軸自由度運動分離要素が、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を備え、
該マイクロホン支持ブーム軸自由度表面静止摩擦係数が、前記ヨー表面静止摩擦係数よりも大きい
請求項５に記載のマイクロホン支持ブーム運動制御装置。
【請求項８】
前記非優先的マイクロホン支持ブーム軸自由度運動分離要素が、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を備える
請求項５に記載のマイクロホン支持ブーム運動制御装置。
【請求項９】
前記マイクロホン支持ブームをさらに備えている請求項５に記載のマイクロホン支持ブーム運動制御装置。
【請求項１０】
前記マイクロホン・スタンドをさらに備えている請求項９に記載のマイクロホン支持ブーム運動制御装置。
【請求項１１】
前記オンオフ可能なマイクロホン支持ブーム・ヨー分離要素が、第１の二重対向円錐要素と、該第１の二重対向円錐要素と界面を接するように構成された第１の内表面を有する第１のシェルとを備えている請求項５に記載のマイクロホン支持ブーム運動制御装置。
【請求項１２】
第２の二重対向円錐要素と、該第２の二重対向円錐要素と界面を接するように構成された第２の内表面を有する第２のシェルとを有するマイクロホン支持ブーム・ピッチ分離要素
をさらに備えている請求項１１に記載のマイクロホン支持ブーム運動制御装置。
【請求項１３】
マイクロホン支持ブーム運動制御装置であって、
少なくとも２つの自由度についてマイクロホン支持ブームの運動を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素
を備え、
該マイクロホン支持ブーム多自由度運動制御要素が、少なくともマイクロホン支持ブームのヨーおよびピッチを制御するように構成されており、
該オンオフ可能なマイクロホン支持ブーム・ヨー分離要素が、該オンオフ可能なマイクロホン支持ブーム・ヨー分離要素をオフおよびオンにするため、圧縮力軸に沿って作用する圧縮力を付与および解除するように動作できる調節可能な圧縮付与要素を備えており、そして
該マイクロホン支持ブームのヨーを、該マイクロホン支持ブームの他の運動を許容するよりも前に許容する、優先的なヨーの分離のために構成された優先的マイクロホン支持ブーム・ヨー分離要素をさらに備えており、
該優先的なヨーの分離が、前記取り付け要素が完全に係合しているときに、前記オンオフ可能なマイクロホン支持ブーム・ヨー分離要素をオンにすることによってもたらされる
マイクロホン支持ブーム運動制御装置。
【請求項１４】
前記優先的マイクロホン支持ブーム・ヨー分離要素が、
（ａ）少なくとも１つが円錐台形状である摩擦ヨー表面であって、該円錐台形状の摩擦ヨー表面が、摩擦ヨー表面近傍圧縮力軸に対して摩擦ヨー表面角度を有するとともに、前記マイクロホン支持ブーム・ヨー軸と共直線である摩擦ヨー表面軸を有している摩擦ヨー表面、および
（ｂ）少なくとも１つが円錐台形状である摩擦ピッチ表面であって、該円錐台形状の摩擦ピッチ表面が、摩擦ピッチ表面近傍圧縮力軸に対して摩擦ピッチ表面角度を有するとともに、マイクロホン支持ブーム・ピッチ軸と共直線である摩擦ピッチ表面軸を有している摩擦ピッチ表面
を有する二重円錐ヨー・クラッチを備え、
該摩擦ヨー表面角度が該摩擦ピッチ表面角度よりも大きい
請求項１３に記載のマイクロホン支持ブーム運動制御装置。
【請求項１５】
前記二重円錐ヨー・クラッチが、入れ子式の二重円錐ヨー・クラッチを備える請求項１４に記載のマイクロホン支持ブーム運動制御装置。
【請求項１６】
前記優先的マイクロホン支持ブーム・ヨー分離要素が、
（ａ）ヨー表面静止摩擦係数を呈する摩擦ヨー表面、および
（ｂ）ピッチ表面静止摩擦係数を呈する摩擦ピッチ表面
を備え、
該ヨー表面静止摩擦係数が該ピッチ表面静止摩擦係数よりも小さい
請求項１３に記載のマイクロホン支持ブーム運動制御装置。
【請求項１７】
前記優先的マイクロホン支持ブーム・ヨー分離要素が、
（ａ）前記マイクロホン支持ブーム・ヨー軸に対して有効ヨー表面モーメント・アームを有しているヨー回転可能摩擦ヨー表面、および
（ｂ）前記マイクロホン支持ブーム・ピッチ軸に対して有効ピッチ表面モーメント・アームを有しているピッチ回転可能摩擦ピッチ表面
を備え、
該有効ヨー表面モーメント・アームが該有効ピッチ表面モーメント・アームよりも小さい
請求項１３に記載のマイクロホン支持ブーム運動制御装置。
【請求項１８】
前記マイクロホン支持ブーム多自由度運動制御要素が、マイクロホン支持ブームの軸方向の並進とマイクロホン支持ブームの軸回転とからなる、マイクロホン支持ブーム軸自由度の群から選択される少なくとも１つのマイクロホン支持ブーム軸自由度についても、マイクロホン支持ブームの運動を制御するように構成されている
請求項１３、１４、１５、１６、または１７に記載のマイクロホン支持ブーム運動制御装置。
【請求項１９】
前記ヨーの優先的許容の開始後に、前記少なくとも１つのマイクロホン支持ブーム軸自由度についての運動を前記マイクロホン・スタンドから分離するように構成された非優先的マイクロホン支持ブーム軸自由度運動分離要素をさらに有している
請求項１８に記載のマイクロホン支持ブーム運動制御装置。
【請求項２０】
該非優先的マイクロホン支持ブーム軸自由度運動分離要素が、少なくとも４つの摩擦マイクロホン支持ブーム軸運動表面を有しており、該摩擦マイクロホン支持ブーム軸運動表面の少なくとも２つが、ブーム軸運動摩擦表面近傍圧縮力軸に対してマイクロホン支持ブーム軸自由度運動摩擦角度を有しており、該マイクロホン支持ブーム軸自由度運動摩擦角度が前記摩擦ヨー表面角度よりも小さい請求項１９に記載のマイクロホン支持ブーム運動制御装置。
【請求項２１】
前記マイクロホン支持ブーム軸自由度運動摩擦角度が、前記摩擦ピッチ表面角度よりも小さい請求項２０に記載のマイクロホン支持ブーム運動制御装置。
【請求項２２】
前記非優先的マイクロホン支持ブーム軸自由度運動分離要素が、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を備える、
請求項１９に記載のマイクロホン支持ブーム運動制御装置。
【請求項２３】
前記マイクロホン支持ブーム軸自由度表面静止摩擦係数が、前記ヨー表面静止摩擦係数よりも大きい請求項２２に記載のマイクロホン支持ブーム運動制御装置。
【請求項２４】
前記非優先的マイクロホン支持ブーム軸自由度運動分離要素が、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を備える
請求項１９に記載のマイクロホン支持ブーム運動制御装置。
【請求項２５】
マイクロホン支持ブーム運動制御装置であって、
少なくとも２つの自由度についてマイクロホン支持ブームの運動を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素
を備え、
該オンオフ可能なマイクロホン支持ブーム・ヨー分離要素が、二重対向円錐要素と、該二重対向円錐要素と界面を接するように構成された内表面を有するシェルとを備えているマイクロホン支持ブーム運動制御装置。
【請求項２６】
二重対向円錐要素と、該二重対向円錐要素と界面を接するように構成された内表面を有するシェルとを有するマイクロホン支持ブーム・ピッチ分離要素
をさらに備えている請求項２５に記載のマイクロホン支持ブーム運動制御装置。
【請求項２７】
マイクロホン支持ブーム運動制御装置であって、
少なくとも２つの自由度についてマイクロホン支持ブームの運動を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素
を備え、
該マイクロホン支持ブーム多自由度運動制御要素が、マイクロホン支持ブームが一方向に従動するマイクロホン支持ブーム・ヨー案内要素を備えており、そして
該マイクロホン支持ブーム・ヨー案内要素が、実質的に円形である凹状のチャネルおよび実質的にリング状であるキーを備え、該実質的にリング状であるキーの少なくとも一部分が、該実質的に円形である凹状のチャネルに嵌まり込むように構成されているマイクロホン支持ブーム運動制御装置。
【請求項２８】
マイクロホン支持ブーム運動制御装置であって、
少なくとも２つの自由度についてマイクロホン支持ブームの運動を制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素
を備え、
該マイクロホン支持ブーム多自由度運動制御要素が、マイクロホン支持ブームが一方向に従動するマイクロホン支持ブーム・ヨー案内要素を備えており、そして
該マイクロホン支持ブーム・ヨー案内要素が、二重対向円錐要素と、該二重対向円錐要素と界面を接するように構成された内表面を有するシェルとを備えている
マイクロホン支持ブーム運動制御装置。
【請求項２９】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該マイクロホン支持ブーム多自由度運動制御要素を設置するステップが、少なくともマイクロホン支持ブームのヨーおよびピッチを制御するようにマイクロホン支持ブーム多自由度運動制御要素を設置するステップを包含し、
該オンオフ可能なマイクロホン支持ブーム・ヨー分離要素を設置するステップが、
該オンオフ可能なマイクロホン支持ブーム・ヨー分離要素をオフおよびオンにするため、圧縮力軸に沿って作用する圧縮力を付与および解除するように動作できる調節可能な圧縮付与要素を設置するステップを含み、そして
該マイクロホン支持ブーム運動制御装置を設置するステップが、前記マイクロホン支持ブームのヨーを該マイクロホン支持ブームの他の運動を許容するよりも前に許容するよう構成されている優先的マイクロホン支持ブーム・ヨー分離要素を設置するステップをさらに包含し、
該優先的なヨーの分離が、前記取り付け要素が完全に係合しているときに、前記オンオフ可能なマイクロホン支持ブーム・ヨー分離要素をオンにすることによってもたらされる
マイクロホン支持ブーム運動制御方法。
【請求項３０】
前記優先的マイクロホン支持ブーム・ヨー分離要素を設置するステップが、二重円錐ヨー・クラッチを設置するステップを含んでおり、
該二重円錐ヨー・クラッチを設置するステップ自身が、
（ａ）摩擦ヨー表面近傍圧縮力軸に対して摩擦ヨー表面角度を有するとともに、前記マイクロホン支持ブーム・ヨー軸と共直線である摩擦ヨー表面軸を有するよう、円錐台形状の摩擦ヨー表面を設置するステップ、および
（ｂ）摩擦ピッチ表面近傍圧縮力軸に対して摩擦ピッチ表面角度を有するとともに、マイクロホン支持ピッチ軸と共直線である摩擦ピッチ表面軸を有するよう、円錐台形状の摩擦ピッチ表面を設置するステップ
を包含し、
該摩擦ヨー表面角度が該摩擦ピッチ表面角度よりも大きい
請求項２９に記載のマイクロホン支持ブーム運動制御方法。
【請求項３１】
前記二重円錐ヨー・クラッチを設置するステップが、入れ子式の二重円錐ヨー・クラッチを設置するステップを包含する請求項３０に記載のマイクロホン支持ブーム運動制御方法。
【請求項３２】
前記優先的マイクロホン支持ブーム・ヨー分離要素を設置するステップが、
（ａ）ヨー表面静止摩擦係数を呈する摩擦ヨー表面を設置するステップ、および
（ｂ）ピッチ表面静止摩擦係数を呈する摩擦ピッチ表面を設置するステップ
を含んでおり、
該ヨー表面静止摩擦係数が該ピッチ表面静止摩擦係数よりも小さい
請求項２９に記載のマイクロホン支持ブーム運動制御方法。
【請求項３３】
前記優先的マイクロホン支持ブーム・ヨー分離要素を設置するステップが、
（ａ）前記マイクロホン支持ブーム・ヨー軸に対して有効ヨー表面モーメント・アームを有するようにヨー回転可能摩擦ヨー表面を設置するステップ、および
（ｂ）前記マイクロホン支持ブーム・ピッチ軸に対して有効ピッチ表面モーメント・アームを有するようにピッチ回転可能摩擦ピッチ表面を設置するステップ
を包含し、
該有効ヨー表面モーメント・アームが該有効ピッチ表面モーメント・アームよりも小さい
請求項２９に記載のマイクロホン支持ブーム運動制御方法。
【請求項３４】
前記マイクロホン支持ブーム多自由度運動制御要素を設置するステップが、
マイクロホン支持ブームの軸方向の並進とマイクロホン支持ブームの軸回転とからなる、マイクロホン支持ブーム軸自由度の群から選択される少なくとも１つのマイクロホン支持ブーム軸自由度についてもマイクロホン支持ブームの運動を制御するように、前記マイクロホン支持ブーム多自由度運動制御要素を設置するステップ
を包含する請求項２９、３０、３１、３２、または３３に記載のマイクロホン支持ブーム運動制御方法。
【請求項３５】
前記マイクロホン支持ブーム運動制御装置を設置するステップが、
前記ヨーの優先的分離の開始後に、前記少なくとも１つのマイクロホン支持ブーム軸自由度についての運動を前記マイクロホン・スタンドから分離するように構成された非優先的マイクロホン支持ブーム軸自由度運動分離要素を設置するステップ
をさらに包含する請求項３４に記載のマイクロホン支持ブーム運動制御方法。
【請求項３６】
前記非優先的マイクロホン支持ブーム軸自由度運動分離要素を設置するステップが、
少なくとも４つの摩擦マイクロホン支持ブーム軸運動表面を設置するステップであって、該摩擦マイクロホン支持ブーム軸運動表面のうちの少なくとも２つが、ブーム軸運動摩擦表面近傍圧縮力軸に対する角度であって前記摩擦ヨー表面角度よりも小さいマイクロホン支持ブーム軸自由度運動摩擦角度を有する、ステップ、
を包含する請求項３５に記載のマイクロホン支持ブーム運動制御方法。
【請求項３７】
前記マイクロホン支持ブーム軸自由度運動摩擦角度が、前記摩擦ピッチ角度よりも小さい請求項３６に記載のマイクロホン支持ブーム運動制御方法。
【請求項３８】
前記非優先的マイクロホン支持ブーム軸自由度運動分離要素を設置するステップが、
前記マイクロホン支持ブームの外表面と静的に接しているときにマイクロホン支持ブーム軸自由度表面静止摩擦係数を呈する少なくとも１つの摩擦マイクロホン支持ブーム軸自由度表面を設置するステップ
を包含する、
請求項３５に記載のマイクロホン支持ブーム運動制御方法。
【請求項３９】
前記マイクロホン支持ブーム軸自由度表面静止摩擦係数が、前記ヨー表面静止摩擦係数よりも大きい請求項３８に記載のマイクロホン支持ブーム運動制御方法。
【請求項４０】
前記非優先的マイクロホン支持ブーム軸自由度運動分離要素を設置するステップが、
マイクロホン支持ブーム・ピッチ軸が外部圧縮付与軸から第１の距離にあり、マイクロホン支持ブーム摩擦力の付与の有効点が該外部圧縮付与軸から第２の距離にあり、該第１の距離が該第２の距離よりも大きくなるように構成されている締め具を設置するステップ
を包含する請求項３５に記載のマイクロホン支持ブーム運動制御方法。
【請求項４１】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該オンオフ可能なマイクロホン支持ブーム・ヨー分離要素を設置するステップが、
二重対向円錐要素と、該二重対向円錐要素と界面を接するように構成された内表面を有するシェルとを設置するステップ
を包含するマイクロホン支持ブーム運動制御方法。
【請求項４２】
二重対向円錐要素と、該二重対向円錐要素と界面を接するように構成された内表面を有するシェルとを有するマイクロホン支持ブーム・ピッチ分離要素を設置するステップ
をさらに有している請求項４１に記載のマイクロホン支持ブーム運動制御方法。
【請求項４３】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該マイクロホン支持ブーム多自由度運動制御要素を設置するステップが、マイクロホン支持ブームが一方向に従動するマイクロホン支持ブーム・ヨー案内要素を設置するステップを含み、そして
該マイクロホン支持ブーム・ヨー案内要素を設置するステップが、実質的に円形である凹状のチャネルおよび実質的にリング状であるキーを設置するステップを包含し、該実質的にリング状であるキーの少なくとも一部分が、該実質的に円形である凹状のチャネルに嵌まり込むように構成されているマイクロホン支持ブーム運動制御方法。
【請求項４４】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該マイクロホン支持ブーム多自由度運動制御要素を設置するステップが、マイクロホン支持ブームが一方向に従動するマイクロホン支持ブーム・ヨー案内要素を設置するステップを含み、そして
該マイクロホン支持ブーム・ヨー案内要素を設置するステップが、
二重対向円錐要素と、該二重対向円錐要素と界面を接するように構成された内表面を有するシェルとを設置するステップ
を包含するマイクロホン支持ブーム運動制御方法。
【請求項４５】
マイクロホン支持ブーム運動制御取り扱い方法であって、
少なくとも３つの自由度についてマイクロホン支持ブームの運動を制御するように構成されているマイクロホン支持ブーム多自由度運動制御要素の一部を構成しているオンオフ可能なマイクロホン支持ブーム・ヨー分離要素をオンにして、回転可能な取り付け要素のヨーをマイクロホン・スタンドから分離するステップ、および
該マイクロホン支持ブーム多自由度運動制御要素を回転させることなく、前記回転可能な取り付け要素を前記マイクロホン・スタンドへと完全に係合するまで回転によって取り付けるステップ
を包含するマイクロホン支持ブーム運動制御取り扱い方法。
【請求項４６】
前記マイクロホン支持ブーム多自由度運動制御要素の一部を構成しているマイクロホン支持ブーム保持要素に、マイクロホン支持ブームを圧縮によって保持するステップ
をさらに有する請求項４５に記載のマイクロホン支持ブーム運動制御取り扱い方法。
【請求項４７】
前記保持されているマイクロホン支持ブームに手動による横方向の力が付与されたときに、該保持されているマイクロホン支持ブームにピッチを生じることなく、該保持されているマイクロホン支持ブームのヨーを可能にするため、調節可能な圧縮付与要素を調節するステップ、および
該保持されているマイクロホン支持ブームに該手動による横方向の力を付与し、マイクロホン支持ブームのピッチを生じることなくマイクロホン支持ブームのヨーを生じさせるステップ
をさらに有する請求項４６に記載のマイクロホン支持ブーム運動制御取り扱い方法。
【請求項４８】
前記保持されているマイクロホン支持ブームに手動による横方向の力が付与されたときに、該保持されているマイクロホン支持ブームにマイクロホン支持ブーム軸自由度運動を生じることなく、該保持されているマイクロホン支持ブームのヨーを可能にするため、前記調節可能な圧縮付与要素をさらに調節するステップ、および
該保持されているマイクロホン支持ブームに該手動による横方向の力を付与し、マイクロホン支持ブーム軸自由度運動を生じることなくマイクロホン支持ブームのヨーを生じさせるステップ
をさらに有する請求項４７に記載のマイクロホン支持ブーム運動制御取り扱い方法。
【請求項４９】
前記保持されているマイクロホン支持ブームに手動による垂直方向の力が付与されたときに、該保持されているマイクロホン支持ブームにマイクロホン支持ブーム軸自由度運動を生じることなく、該保持されているマイクロホン支持ブームのピッチを可能にするため、前記調節可能な圧縮付与要素をさらに調節するステップ、および
該保持されているマイクロホン支持ブームに該手動による垂直方向の力を付与し、マイクロホン支持ブーム軸自由度運動を生じることなくマイクロホン支持ブームのピッチを生じさせるステップ
さらに有する請求項４７または４８に記載のマイクロホン支持ブーム運動制御取り扱い方法。
【請求項５０】
前記オンオフ可能なマイクロホン支持ブーム・ヨー分離要素が、４つの自由度についてマイクロホン支持ブームの運動を制御するように構成されているマイクロホン支持ブーム多自由度運動制御要素の一部を構成している請求項４５に記載のマイクロホン支持ブーム運動制御取り扱い方法。
【請求項５１】
前記４つの自由度が、マイクロホン支持ブームのヨー、マイクロホン支持ブームのピッチ、マイクロホン支持ブームの軸方向の並進、およびマイクロホン支持ブームの軸回転からなる請求項５０に記載のマイクロホン支持ブーム運動制御取り扱い方法。
【請求項５２】
優先的マイクロホン支持ブーム自由度運動分離要素として使用可能な二重円錐クラッチであって、
（ａ）少なくとも１つが円錐台形状である摩擦優先運動表面であって、該円錐台形状の摩擦優先運動表面が、摩擦優先運動表面近傍圧縮力軸に対して摩擦優先運動表面角度を有するとともに、マイクロホン支持ブーム優先運動軸と共直線である摩擦優先運動表面軸を有している摩擦優先運動表面、および
（ｂ）少なくとも１つが円錐台形状である摩擦従属運動表面であって、該円錐台形状の摩擦従属運動表面が、摩擦従属運動表面近傍圧縮力軸に対して摩擦従属運動表面角度を有するとともに、マイクロホン支持従属運動軸と共直線である摩擦従属運動表面軸を有している摩擦従属運動表面
を備え、
前記摩擦優先運動表面角度が該摩擦従属運動表面角度よりも大きく、
該二重円錐クラッチによって、前記マイクロホン支持ブームのある好ましい自由度についての運動が、該マイクロホン支持ブームの他のあらゆる自由度についての運動が許容されるよりも前に許容され、
該二重円錐クラッチによって、該好ましい自由度についての運動がマイクロホン・スタンドから分離される
優先的マイクロホン支持ブーム自由度運動分離要素として使用可能な二重円錐クラッチ。
【請求項５３】
前記二重円錐クラッチが、入れ子式の二重円錐クラッチを備える請求項５２に記載の優先的マイクロホン支持ブーム自由度運動分離要素として使用可能な二重円錐クラッチ
【請求項５４】
マイクロホン支持ブーム運動制御装置であって、
マイクロホン支持ブームの運動を少なくとも２つの自由度について制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、該マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、
該マイクロホン支持ブームが従動するマイクロホン支持ブーム保持要素、
二重対向円錐要素と、該二重対向円錐要素と界面を接するように構成された内表面を有するシェルとを有するマイクロホン支持ブーム・ピッチ分離要素、
を備える、マイクロホン支持ブーム運動制御装置。
【請求項５５】
マイクロホン支持ブーム運動制御装置であって、
マイクロホン支持ブームの運動を少なくとも２つの自由度について制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、該マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素、
を備え、
該マイクロホン支持ブーム多自由度運動制御要素が、マイクロホン支持ブームが一方向に従動するマイクロホン支持ブーム・ヨー案内要素を備えており、
該オンオフ可能なマイクロホン支持ブーム・ヨー分離要素が、該マイクロホン支持ブーム・ヨー案内要素を備えており、そして
該マイクロホン支持ブーム・ヨー案内要素が、実質的に円形である凹状のチャネルおよび実質的にリング状であるキーを備え、該実質的にリング状であるキーの少なくとも一部分が、該実質的に円形である凹状のチャネルに嵌まり込むように構成されている、
マイクロホン支持ブーム運動制御装置。
【請求項５６】
マイクロホン支持ブーム運動制御装置であって、
マイクロホン支持ブームの運動を少なくとも２つの自由度について制御するように構成されているマイクロホン支持ブーム多自由度運動制御要素、
マイクロホン・スタンドとの係合の際に該マイクロホン支持ブーム多自由度運動制御要素を該マイクロホン・スタンドに取り付けるように構成されており、該マイクロホン・スタンドと完全に係合したときに該マイクロホン・スタンドに対して不動になる取り付け要素、
該取り付け要素が該完全に係合した状態にあるときに、マイクロホン支持ブーム・ヨー軸の周りでの該マイクロホン支持ブームのヨーを、該取り付け要素から分離するように動作できるオンオフ可能なマイクロホン支持ブーム・ヨー分離要素、および
該マイクロホン支持ブームが従動するマイクロホン支持ブーム保持要素、
を備え、
該マイクロホン支持ブーム多自由度運動制御要素が、マイクロホン支持ブームが一方向に従動するマイクロホン支持ブーム・ヨー案内要素を備えており、
該オンオフ可能なマイクロホン支持ブーム・ヨー分離要素が、該マイクロホン支持ブーム・ヨー案内要素を備えており、そして
該マイクロホン支持ブーム・ヨー分離要素が、二重対向円錐要素と、該二重対向円錐要素と界面を接するように構成された内表面を有するシェルとを備えている、
マイクロホン支持ブーム運動制御装置。
【請求項５７】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、
該マイクロホン支持ブームが従動するマイクロホン支持ブーム保持要素を設置するステップ、および
二重対向円錐要素と、該二重対向円錐要素と界面を接するように構成された内表面を有するシェルとを備えるマイクロホン支持ブーム・ピッチ分離要素を設置するステップ、
を包含するマイクロホン支持ブーム運動制御方法。
【請求項５８】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該マイクロホン支持ブーム多自由度運動制御要素を設置するステップが、マイクロホン支持ブームが一方向に従動するマイクロホン支持ブーム・ヨー案内要素を設置するステップを含み、
該オンオフ可能なマイクロホン支持ブーム・ヨー分離要素を設置するステップが、該マイクロホン支持ブーム・ヨー案内要素を設置するステップを包含し、そして
該マイクロホン支持ブーム・ヨー案内要素を設置するステップが、実質的に円形である凹状のチャネルおよび実質的にリング状であるキーを設置するステップを包含し、該実質的にリング状であるキーの少なくとも一部分が、該実質的に円形である凹状のチャネルに嵌まり込むように構成されている、
マイクロホン支持ブーム運動制御方法。
【請求項５９】
マイクロホン支持ブームの運動制御方法であって、
マイクロホン支持ブームの運動を少なくとも２つの自由度について制御するようにマイクロホン支持ブーム多自由度運動制御要素を設置するステップ、
取り付け要素を、マイクロホン・スタンドとの係合の際に該マイクロホン支持ブーム多自由度運動制御要素を該マイクロホン・スタンドに取り付けるように構成するステップ、
さらに該取り付け要素を、該マイクロホン・スタンドと完全に係合したときに該マイクロホン・スタンドに対して不動になるように構成するステップ、
該取り付け要素が該完全に係合した状態にあるときに、マイクロホン支持ブーム・ヨー軸の周りでの該マイクロホン支持ブームのヨーを該取り付け要素から分離するように、オンオフ可能なマイクロホン支持ブーム・ヨー分離要素を設置するステップ、および
該マイクロホン支持ブームが従動するマイクロホン支持ブーム保持要素を設置するステップ
を包含し、
該マイクロホン支持ブーム多自由度運動制御要素を設置するステップが、マイクロホン支持ブームが一方向に従動するマイクロホン支持ブーム・ヨー案内要素を設置するステップを含み、
該オンオフ可能なマイクロホン支持ブーム・ヨー分離要素を設置するステップが、該マイクロホン支持ブーム・ヨー案内要素を設置するステップを包含し、そして
該マイクロホン支持ブーム・ヨー案内要素を設置するステップが、二重対向円錐要素と、該二重対向円錐要素と界面を接するように構成された内表面を有するシェルとを設置するステップを包含する、
マイクロホン支持ブーム運動制御方法。
【手続補正２】
【補正対象書類名】明細書
【補正対象項目名】全文
【補正方法】変更
【補正の内容】
【発明の詳細な説明】
【技術分野】
【０００１】
（関連出願の引用）
本出願は国際出願であり、２００３年１月１５日付の米国特許出願第１０／３４５，６２２号の優先権を主張し、この米国特許出願は、本明細書中に参考として援用される。
【０００２】
（技術分野）
一般に、本発明は、マイクロホン支持ブームによって何らかの方法で保持され得るマイクロホンについて、運動を制御するための装置および関連する方法に関する。さらに詳しくは、本発明は、マイクロホンの所望の空間的位置決めに必要とされる高さの大部分をもたらし得るマイクロホン・スタンドから、マイクロホン支持ブームのヨーを分離するための新規な技法に取り組む。さらに本発明は、マイクロホン支持ブームのヨーを、マイクロホン支持ブームの他のあらゆる自由度における運動に対して優先的に分離するために使用され得る装置に取り組む。この優先的分離を達成するために使用され得る特定の種類の装置、すなわち二重円錐クラッチも、本発明の技術の一局面である。
【背景技術】
【０００３】
（背景）
マイクロホン支持アセンブリに保持されたマイクロホンの運動を制御したいという要望は、かねてから知られている。代表的に、そのようなマイクロホン支持アセンブリは、ステージまたは床のような下方の表面に接する支持基部を有するマイクロホン・スタンド、およびマイクロホン・スタンドの上端に（直接的にか、または取り付け具そのものが取り付けられる中間的な装置を介してかのいずれか）取り付けられたマイクロホン支持ブームを備え得る。しかし、マイクロホン・スタンドが存在せず、代わりにある表面（一例ではあるが、代表的にはピアノの前面上部などの上昇表面）にマイクロホン支持ブームが（直接的にか、または取り付け具そのものが取り付けられる中間的な装置を介してかのいずれかで）取り付けられ得る。代表的には、マイクロホン支持ブームの一端が、ユーザが最適な位置に配置することを望むマイクロホンを、何らかの方法で保持または把持するように構成されている。この最適位置は、性能や他の要求が求め得るように、音楽の演奏またはスピーチ（この２つは、あくまで例である）の経過の間に変化し得る。例えば、ユーザ（すなわち、増幅すべき音を発している人物）が歌唱部分を終えて、楽器（ユーザに最も近いマイクロホン以外の手段で増幅され得る）の演奏を続けつつマイクロホンをより邪魔にならない領域（しかしながらおそらく、依然として手の届く領域）へと再配置したいと望み得る。重要なことに、演奏が中断されることがないよう、ユーザによる最小の操作でマイクロホンの最初の位置（おそらく、最適に設定された初期位置）へと迅速かつ容易に復帰できるようにマイクロホンが再配置されることが、ユーザにとって非常に重要である。理想的には、この保持されているマイクロホンの再配置は、ユーザ（または近くのアシスタント）によってマイクロホンの最初の位置へと、ユーザまたはユーザの演奏の中断が最小であるような様式でマイクロホンが容易に戻され得るよう、ユーザが容易に掴むことができる新しい位置への再配置である。
【０００４】
代表的に、そのような中断が最小限である再配置は、手動で行なわれるマイクロホン支持ブームのヨーの形態をとる（代表的には、ヨーとは、垂直軸の周りでの回転である）。もちろん、そのようなヨーを、いかなる様式でもマイクロホン・スタンドを動かすことなく生じさせることが望ましい。しかしながら、これまでに存在するマイクロホン運動制御装置を使用して、何らかの様式でヨー運動を可能にするシステムは、わずかいくつかだけである。それらの選り抜きの先行技術のシステムに関して、マイクロホン支持ブームへの
ヨー能力の提供が、アセンブリの構造的一体性を損なう（例えば、ねじによってマイクロホン・スタンドからブームのねじを緩めることによって）危険性を増加させないことを保証する唯一の方法は、スタンドにおいてマイクロホンが所望の高さに配置され得るようにスタンドを垂直に延長できるようにするために存在し得るいずれかの部品を取り外すことである。そのような取り外しの際に、スタンドは高さの調節が不可能であり、そして代表的に、最も低い位置に位置する（従って、保持されているマイクロホンを所望の高さに位置させず、そして所望の高さを達成するためにスタンド基部が設置され得る持ち上げられた支持面を必要とする）。さらに、たとえ高さ調節機構の取り外しが一時的であっても、ユーザは不都合にも、高さ調節機構を取り外した後に一方の手でマイクロホン・スタンドの上部（またはマイクロホン支持ブーム）を把持しつつ、所望の向きへとマイクロホンの「ヨー調節」を行なうためもう一方の手を使用しなければならない。さらに、いくつかの背の高いマイクロホン・スタンドにおいては、高さ調節がユーザの手の届かない位置にあり得る。存在し得るマイクロホン・スタンドの高さ調節能力を失うことなく、（ブームをヨー回転させながらスタンドを回転させる必要性を回避するように）マイクロホン・スタンドに対するマイクロホン支持ブームのヨー回転を提供する目的で、何らかの種類のヨー回転を（不便であり、あるいは間に合わせであるにせよ）なお可能にされている既存のマイクロホン支持アセンブリは、マイクロホン支持ブームのマイクロホン支持スタンドへの何らかの接続が、部分的にのみ係合されることを必要とする。例えば、ユーザがヨー能力およびマイクロホン・スタンドのインタクトな高さ調節能力を有する場合、ねじによる取り付けは、以前から存在するシステムに完全には係合され得ない。もちろん、これら既存の「自由浮動」システムは、ねじが緩み、そして結果としてマイクロホン支持ブームがマイクロホン・スタンドから取り外される危険性があり、そして少なくとも、完全に係合した接続（ナットまたは他のねじ座へと完全にねじ込まれた、ねじ付きボルトなど）によって可能となる堅固な接続が実現不可能になる。ねじが外れる危険性減らすためにジャムナット（ｊａｍｂ  ｎｕｔ）が使用され得るが、そのようなシステムにおいてはヨーの提供が損なわれ（ジャムナットは、ねじ込みによって取り付けられた部品の係止効果を有する傾向がある）、完全なねじ係合によって他の様式でもたらされる堅固な取り付けをもたらし、ねじ部品の過度の回転に関連する磨耗の増加の問題を回避せず、増幅された音声中の振動およびしたがって雑音の増加を引き起こし、ジャムナットを突き出しているねじ部品にねじ込む追加のステップを必要とし、そして喪失または過剰に磨耗され得る単なる１つのさらなる部品である。
【０００５】
既存のマイクロホン支持システムに関するさらなる問題としては、３つのみの自由度についての制御、およびさらに詳しくは、ヨーが提供されないことが挙げられる。これに関連して、既存のシステムは、固定および解除の能力を含めて、ヨーの制御を提供しない。さらに、既存のシステムは、運動の半固定または部分固定の能力を提供しない。これに関連して、差別的な解除能力を提供し、すなわち他のあらゆる種類の運動（マイクロホン支持ブームのピッチまたは軸方向の並進もしくは回転など）を提供する前にまずマイクロホン支持ブームのヨーを提供するため、ユーザによって使用可能な調節可能部品を含むであろうシステムは存在しない。ボールジョイントは、例えば充分な圧縮の解除の際に複数の回転の自由度についての運動を同時に解放するので、単にこのような差別的な分離または分離を達成するために使用することはできない。実際、このようなシステムにおいては、所望のヨーを可能にするようにブームが充分に緩められ得る瞬間にしばしば、ブームおよびマイクロホンの重量によって生じるてこの作用によってまた、マイクロホンおよびブームに、望まれないピッチが生じる。差別的な解放または分離の能力は、ブームのピッチも軸方向の運動も生じさせることなく、マイクロホンを横方向に動かす（マイクロホン支持ブームのヨーを生じさせることによって達成される）ことを希望するユーザにとって価値がある。
【０００６】
既存のシステムに関連する他の問題としては、単に、マイクロホン支持ブームとマイク
ロホン・スタンドの着脱に関する不便さが挙げられる。この不便さは２つの形態を採る。すなわち、ブームとスタンドとの着脱にのための簡単なワンステップの手順の欠如、およびこれらの二者を最小限のステップ数で最も複雑でない手法で（そのデバイスの特徴および造作の使用に慣れていない演奏者にとって、これらの二者を取り付けるための唯一の明らかかつ明白な様式であり得るように）取り付ける目的で、マイクロホンが（ブーム保持装置に保持されるとき）マイクロホン・スタンドの軸の周りでブームを「ヘリコプター状」にすることによって取り付けられる必要性である。これは、単に、不便であり、時間を浪費し、そしてしばしば不恰好なステップである。
【発明の開示】
【課題を解決するための手段】
【０００７】
（発明の開示）
本発明は、対処しようとする特定の用途またはニーズに基いて種々の組み合わせで選択され得る、さまざまな局面を含んでいる。１つの基本的な形態においては、本発明は、マイクロホン支持ブームをブームのヘリコプター化を含まない明白かつ容易なやり方でマイクロホン・スタンドに取り付けることを可能にするマイクロホン支持ブーム運動制御装置、および関連の方法に関する。他の基本的な形態においては、本発明は、マイクロホン・スタンド、またはブームをスタンドへと取り付けている取り付けデバイスに対する、マイクロホン支持ブームのヨーを、取り付けデバイスをスタンドへと不完全にのみ係合させる必要なく、いずれのマイクロホン・スタンド垂直延長提供装置も緩めたり外したりする必要もなく、可能にする方法および装置を含んでいる。他の基本的な形態は、４つの自由度におけるマイクロホン・ブーム（およびもちろん、任意の取り付けられたマイクロホン）の運動の（係止および解放を可能にするなどによる）制御を可能にするマイクロホン・ブーム制御装置の提供である。さらに他の基本的な形態において、本発明は、係止および解放（または自由にすること）を含むマイクロホンブームのヨーの制御を可能にするマイクロホン・ブーム制御装置を提供する。さらにまた別の基本的な形態は、異なる自由度についてのマイクロホン支持ブームの運動の差別的解放または分離の能力である。本明細書において使用されるとき、分離という用語は、他に示されない限り、言及されている特徴（代表的に、ある自由度における運動）を、マイクロホン支持ブームから独立させることを指している。本発明の少なくとも１つの実施形態においては、差別的な解放能力が、水平摩擦力を予測可能に増幅するように選択され得る角度を有する摩擦面を備えており、関連する垂直力、およびしたがって、摩擦力が、予測可能に達成され得る二重円錐クラッチを使用することによって達成される。したがって、異なる２つの自由度についての運動を支配する表面に付随する摩擦力の相対的な値を操作することを使用して、どちらの運動が先に静的な制動状態から解放されるかを、少なくともある程度制御し得る。
【発明が解決しようとする課題】
【０００８】
本発明の目的は、マイクロホン支持ブーム運動制御装置に差別的解放能力を提供し、その結果、半固定または不完全なマイクロホン支持ブーム保持設定において、ピッチまたはその他の望ましくない自由度の運動をも可能にすることなく、ヨーが提供され得、そして達成され得る。
【０００９】
本発明の目的は、マイクロホン支持ブーム制御装置において、制御可能なヨーを提供することである。
【００１０】
本発明の目的は、マイクロホン支持ブーム制御装置において、制御可能な４つの自由度を提供することである。
【００１１】
本発明の目的は、取り付け要素が取り付けられるマイクロホン・スタンドに対する、取り付け要素のヨーの分離を提供し、その結果、取り付けの際の「ヘリコプター動作」を不
要にすることである。
【００１２】
本発明の目的は、マイクロホン支持ブームとマイクロホン・スタンドとの便利な着脱のため、ただ１つの制御（例えば、１つの回転ノブによるなど）を提供することである。
【００１３】
本発明の目的は、他の自由度における運動に対する、ある一自由度における運動の差別的な解放を達成するために使用できる二重円錐クラッチを提供することである。
【００１４】
本発明の目的は、マイクロホン・スタンドおよび／または取り付け要素に対するヨーの優先的解放または分離を提供することである。
【００１５】
本発明の目的は、マイクロホン・スタンドおよび／またはブーム‐スタンド間取り付けデバイスから分離されるヨーを、取り付けデバイスを不完全な係合設定にする必要なく、かつマイクロホン・スタンド高さ延長装置を外す必要なく可能にすることである。
【００１６】
当然ながら、本発明のさらなる目的は、本明細書の他の部分および特許請求の範囲を通じて開示される。
【００１７】
添付の図面は、あくまで実施形態の例にすぎず、いかなる様式でも、本発明の主題の技術的範囲を限定するように解釈されるべきものではない。
【００１８】
マイクロホン支持ブーム運動制御装置は、マイクロホン支持ブーム多自由度運動制御要素を備える。
【発明を実施するための最良の形態】
【００１９】
（発明を実施するための形態）
少なくとも一つの実施形態において、本発明は、マイクロホン支持ブームの移動または運動制御装置（５０）であって、少なくとも２自由度についてマイクロホン支持ブーム（５２）の運動を制御するように構成されたマイクロホン支持ブーム多自由度運動制御要素（５１）と、取り付け要素とマイクロホン・スタンドとの係合の際に前記マイクロホン支持ブーム多自由度運動制御要素をマイクロホン・スタンド（５４）に取り付けるよう構成され得る取り付け要素（５３）と、前記取り付け要素が完全に係合している状態のときに、マイクロホン支持ブーム・ヨー軸（７４）の周りでのマイクロホン支持ブームのヨーを前記取り付け要素から分離するように動作可能なオンオフ可能なマイクロホン支持ブーム・ヨー分離要素（５５）と、マイクロホン支持ブームが従動するマイクロホン支持ブーム保持要素（５６）とを備え得る装置である。マイクロホン支持ブームは、必ずしも長さが長くなくてもよく、実際に、あまり代表的ではないがいくつかの用途においては、マイクロホンそのものと同じ小ささ、またはマイクロホンそのものよりも小さくあり得ることに注目のこと。本明細書において使用されるとき、マイクロホン・スタンドという用語は、マイクロホン支持アセンブリ全体のうち床に接する（あるいは床に接する基部に取り付けられる）部分を指して使用され、垂直延長能力をもたらす１つ以上の部品を有し得る。本明細書において使用されるとき、取り付けという用語は、永続性を意味するものと解釈すべきではなく、実際、他の構造体へと取り付けられるある構造体は、着脱可能に取り付けられ得る。さらに、マイクロホン支持ブーム運動制御装置が備える要素であると具体的に言及されない限り、マイクロホン・スタンドは、請求項において他のいくつかの様式で言及されるが、請求項の構成要素ではない。
【００２０】
取り付け要素は、マイクロホン・スタンドと完全に係合したとき、マイクロホン・スタンドに対して不動であり得る。マイクロホン支持ブーム多自由度運動制御要素は、何らかのかたちでマイクロホン・スタンドへと取り付けられるマイクロホン支持ブームの、マイ
クロホン・スタンドに対する運動を、１より多い自由度について制御するために使用できる組立体である。マイクロホン支持ブームの自由度とは、マイクロホン支持ブームが運動し得る方向の数のうちの１つを指しており、そのような運動は、別または他の運動の自由度と組み合わされる（例えば、マイクロホン支持ブームのヨーが、ピッチおよび軸方向のスライドに組み合わされる）場合であってさえも、何らかのかたちで（例えば、マイクロホン支持ブームのヨーとして）特徴付け可能である。取り付け要素は、取り付け要素とマイクロホン・スタンドのある種の係合（あくまで例であるが３つ挙げると、ねじ込み、締め付け、またはボルト付けによる）によって、マイクロホン支持ブーム多自由度運動制御要素をマイクロホン・スタンドへと何らかのやり方で（あくまで例であるが３つ挙げると、ねじ山、締め具、またはボルトによって）取り付けるために使用可能であり得る。「・・・ように構成される」あるいは「・・・すべく構成される」という用語は、指定の機能を達成するための寸法、設計、および／または形状、あるいは特徴付けられるように合致するような寸法、設計、および／または形状とされることを指している。
【００２１】
オンオフ可能なマイクロホン支持ブーム・ヨー分離要素は、オンにすることによってマイクロホン支持ブームのヨーを、マイクロホン・スタンドに完全に係合している（例えば、例として２つ挙げれば、完全にねじ込まれるか、または完全に締め付けられている）状態の取り付け要素から分離するために使用できる部品または組立体（磁気要素を含んでもよく、含んでいなくてもよい）である。このようにして、マイクロホン支持ブームのヨーは、取り付け要素（およびしたがって、マイクロホン・スタンド）とは独立に生じ得、したがって、マイクロホン支持ブームのヨーが、取り付け要素の回転を生じない。少なくとも一つの実施形態においては、オンオフ可能なマイクロホン支持ブーム・ヨー分離要素は、装置が据え付けられた状態（例えば、マイクロホン支持アセンブリが組み立てられ、ある表面上にある状態）のとき、取り付け要素の上方に配置または設置されている。ヨーは、航空または船舶の文脈において広く使用される用語であるが、この用語が広く垂直軸（この垂直軸は、床に接し得るマイクロホン・スタンドの基部の中心から、取り付け要素までの直線であり得る）の周りでの角度運動を指し得る点で、本件出願において完全に適切である。しかしながら、本発明の装置について考えられるある特定の用途が垂直に直立していないマイクロホンまたは他のスタンドに関係し得ることを考慮すれば、ヨーという用語は、最も広い使用においては、取り付け要素によってマイクロホン支持ブーム多自由度運動制御要素が取り付けられ得るマイクロホン・スタンドまたは他のスタンドに関し、これらのスタンドによって定められる長手軸の周りでの角度回転を意味する。当然ながら、この軸は垂直であってもよく、垂直から外れていてもよい。本件出願において使用されるとき、ピッチという用語は、水平な横方向の軸（すなわち、水平であってかつマイクロホン・スタンド上に据え付けられた状態のマイクロホン支持ブームの垂直投影に直交する軸）の周りでのマイクロホン支持ブームの角度運動を指し得る。他の自由度は、マイクロホン支持ブーム軸自由度と名付けられ得、マイクロホン支持ブームの軸方向の並進（８１）（自身の長手軸に沿ったマイクロホン支持ブームの並進を指す）、およびマイクロホン支持ブームの軸回転（８２）（自身の長手軸に従ったマイクロホン支持ブームの角度運動を指す）を含み得る。マイクロホン支持ブーム保持要素は、マイクロホン支持ブームを少なくとも１つの自由度の運動に関して動かぬように把持することなどによって、マイクロホン支持ブームを保持するように作動可能な任意の部品または組立体である。このように、マイクロホン支持ブームは、マイクロホン支持ブーム保持要素に従動し得る。さらに、本発明の少なくとも１つの実施形態においては、オンオフ可能なマイクロホン支持ブーム・ヨー分離要素が、二重対向円錐要素（例えば、二重対向円錐ヨー要素（９４））と、二重対向円錐要素と界面を接するように構成された内表面（９６）を有するシェル（例えば、ヨー・シェル（９５））とを備えることができる。
【００２２】
少なくとも一つの実施形態においては、マイクロホン支持ブーム多自由度運動制御要素は、マイクロホン支持ブームが一方向に従動するマイクロホン支持ブーム・ヨー案内要素
（５７）を備え得る。この案内要素は、マイクロホン支持ブームのヨーを可能にして案内するようにとくに構成された任意の要素であり得る。さらに、少なくとも一つの実施形態においては、マイクロホン支持ブーム多自由度運動制御要素は、オンオフ可能なマイクロホン支持ブーム・ヨー分離要素を有し得る。さらに、オンオフ可能なマイクロホン支持ブーム・ヨー分離要素は、マイクロホン支持ブーム・ヨー案内要素を有し得る。実際、いずれかの請求項において、ある要素について他の要素への言及と別個に言及しても、それら要素が別個の器具または構成要素であると限定して解釈すべきではなく、実際、ある要素について、別個に言及された他の要素との重なりが存在し得、あるいは別個に言及された２つの要素が同じ部品または組立体であってもよく、あるいはある要素が別個に言及された他の要素の一部を構成してもよく、別個に言及された他の要素そのものを構成してもよい。
【００２３】
少なくとも一つの実施形態においては、マイクロホン支持ブーム多自由度運動制御要素は、少なくともマイクロホン支持ブームのヨー（５８）およびピッチ（５９）を制御するように構成され得る。少なくとも一つの実施形態においては、マイクロホン支持ブーム多自由度運動制御要素はまた、さらにマイクロホン支持ブームの軸方向の並進および／またはマイクロホン支持ブームの軸回転を制御するように構成され得る。オンオフ可能なマイクロホン支持ブーム・ヨー分離要素は、圧縮力を付与および解除するように動作可能な調節可能な圧縮付与要素（６０）（ねじ付きボルト、および合致するねじが設けられたねじ穴またはナット、など）を備え得る。この圧縮力は、圧縮力軸（６１）に沿って作用することができ、この圧縮力を加える（おそらくは、例えば調節可能な圧縮付与要素がボルトおよびナットである場合に、時計回りに回転させる）ことによって、オンオフ可能なマイクロホン支持ブーム・ヨー分離要素がオフにされ得（例えば、ヨーの分離の終了）、そしてこの圧縮力を解除することによって、オンオフ可能なマイクロホン支持ブーム・ヨー分離要素がオン（例えば、ヨーの分離の開始）にされ得る。
【００２４】
さらに、本発明の少なくとも一つの実施形態においては、マイクロホン支持ブーム多自由度運動制御要素は、完全なマイクロホン支持ブーム保持設定から不完全なマイクロホン支持ブーム保持設定まで、調節可能であり得る。完全なマイクロホン支持ブーム保持設定とは、取り付け要素および／またはマイクロホン・スタンドに対するマイクロホン支持ブームのすべての運動を防止する設定である。完全なマイクロホン支持ブーム保持設定においては、マイクロホン支持ブームの運動について、取り付け要素および／またはマイクロホン・スタンドからのいかなる型の分離も存在しない。不完全なマイクロホン支持ブーム保持設定においては、少なくともマイクロホン支持ブームのヨーの分離が存在する。実際、取り付け要素が完全に係合した状態にあり、マイクロホン支持ブーム多自由度運動制御要素が不完全なマイクロホン支持ブーム保持設定にあるときに、オンオフ可能なマイクロホン支持ブーム・ヨー分離要素が、マイクロホン支持ブームのヨーを取り付け要素から分離するように機能し得る。
【００２５】
本発明の少なくとも一つの実施形態においては、調節可能な圧縮付与要素によって、完全なマイクロホン支持ブーム保持設定（計画どおりの力の付与のもとで、取り付け要素またはマイクロホン・スタンドに対するマイクロホン支持ブームの運動が不可能である）から不完全なマイクロホン支持ブーム保持設定（計画どおりの力が加わったときに、マイクロホン・スタンドの取り付け要素に対して、マイクロホン支持の少なくとも一自由度について運動が可能である）まで、マイクロホン支持ブーム多自由度運動制御要素を調節し得る。
【００２６】
マイクロホン支持ブーム運動制御装置は、さらに、マイクロホン支持ブームの他の運動（すでに述べたマイクロホン支持ブームの他のあらゆる自由度の運動など）を許す前にマイクロホン支持ブームのヨーを許すように構成された優先的なマイクロホン支持ブーム・
ヨー分離要素（６２）を有し得る。このヨーの優先的な分離は、取り付け要素を完全に係合させたとき、オンオフ可能なマイクロホン支持ブーム・ヨー分離要素をオンにする際に提供され得る。少なくとも１つの実施形態においては、優先的なマイクロホン支持ブーム・ヨー分離要素は、少なくとも１つが円錐台形状である摩擦ヨー表面（６４）および少なくとも１つが円錐台形状である摩擦ピッチ表面（６９）をそれ自身が有し得る、二重円錐ヨー・クラッチ（６３）を備え得る。円錐台形状の摩擦ヨー表面（６５）は、摩擦ピッチ表面近傍圧縮力軸（６７）（摩擦ヨー表面の近傍にあり、好ましい実施形態においては水平である圧縮力の付与軸）に対して摩擦ヨー表面角度（６６）を有し得、そしてマイクロホン支持ブーム・ヨー軸（７４）（すなわち、ヨー発生の中心となりうる軸であって、垂直であっても垂直でなくてもよい）と共直線である摩擦ヨー表面軸（６８）（摩擦ヨー表面によって何らかのかたちで定められる軸）を有し得る。円錐台形状の摩擦ピッチ表面（７０）は、摩擦ピッチ表面近傍圧縮力軸（７２）（当該摩擦ピッチ表面の近傍にあり、好ましい実施形態においては支持ブーム運動制御装置が据え付けられたときに水平である圧縮力の付与軸）に対して摩擦ピッチ表面角度（７１）を有し得、マイクロホン支持ブーム・ピッチ軸（７５）（すなわち、ピッチ発生の中心となりうる軸）と共直線である摩擦ピッチ表面軸（７３）を有し得る。一般に、二重円錐ヨー・クラッチは、これらの要素を含む任意の装置であり得る。
【００２７】
少なくとも一つの実施形態においては、摩擦ヨー表面角度が、摩擦ピッチ表面角度よりも大であり、ヨー回転可能摩擦ヨー表面（ヨー軸の周りで回転可能な摩擦ヨー表面）に作用する垂直力、およびしたがってこの表面に作用する摩擦力が、ピッチ回転可能摩擦ピッチ表面（ピッチ軸の周りで回転可能な摩擦ピッチ表面）に作用する垂直力、およびこれに関係する摩擦力に比べ、それぞれ小さくなる。当然ながら、これらの回転可能摩擦表面は、関連の運動（例えば、ヨーまたはピッチ）が生じるときに回転する摩擦面である。この摩擦面の角度の相違が、マイクロホン支持ブーム・ヨーの差別化、あるいはさらに具体的にはマイクロホン支持ブーム・ヨーの優先的な分離または解放を達成するための１つの手段である。実際、これを使用して、ある自由度の運動の、他の自由度からの優先的な分離を達成し得る。接触するある１組の摩擦面が他の１つの内側に設定され、さらにある１つの自由度についての運動を他の自由度についての運動に対して優先的に分離できるように角度が操作された場合、二重円錐ヨー・クラッチは、入れ子式二重円錐クラッチ（７６）と称され得、あるいはより一般的に、入れ子式円錐クラッチと称され得る。優先的に分離される自由度がヨーである場合には、二重円錐クラッチは、二重円錐ヨー・クラッチと称され得、そして入れ子式二重円錐クラッチは、入れ子式二重円錐ヨー・クラッチと称され得る。
【００２８】
本発明の少なくとも一つの実施形態においては、優先的なマイクロホン支持ブーム・ヨー分離要素が、ヨー表面静止摩擦係数を呈する摩擦ヨー表面、およびピッチ表面静止摩擦係数を呈する摩擦ピッチ表面を有し得る。これらの静止摩擦係数の値は、ヨーをピッチに対して差別的または優先的に分離または解放できるように操作され得る。この優先的な分離は、ヨー表面静止摩擦係数がピッチ表面静止摩擦係数よりも小さいときにもたらされる。関連する静止摩擦係数の操作は、単独で使用され得るか、１つ以上の他の手法と組み合わせて使用され得るか、または優先的なマイクロホン支持ブーム・ヨー分離を達成し得る。
【００２９】
少なくとも１つの実施形態において、優先的なマイクロホン支持ブーム・ヨー分離要素は、マイクロホン支持ブーム・ヨー軸に対して有効ヨー表面モーメント・アーム（７８）を有するヨー回転可能摩擦ヨー表面（７７）、およびマイクロホン支持ブーム・ピッチ軸に対して有効ピッチ表面モーメント・アーム（８０）を有するピッチ回転可能摩擦ピッチ表面（７９）を有し得、ヨーの優先的分離は、有効ヨー表面モーメント・アームが有効ピッチ表面モーメント・アームよりも小さくなるように装置を設計および製造することによ
って達成され得る。基本的な静力学によれば、ヨー回転可能摩擦ヨー表面に作用する摩擦力がピッチ回転可能摩擦ピッチ表面に作用する摩擦力と同じあっても、ヨー回転可能摩擦ヨー表面に作用する摩擦力の付与点から関連する回転軸（ここでは、ヨー軸）までの距離が、ピッチ回転可能摩擦ピッチ表面に作用する摩擦力の付与点からピッチ軸までの距離よりも小さいならば、ヨーの優先的分離が達成され得る。
【００３０】
ある自由度における運動について所望の優先的分離を達成するためにすでに述べた関連する特定の設計パラメータおよび／または寸法を単に調節するだけでは、すべてのマイクロホン支持用途において所望の優先的分離がもたらされるわけではないことを理解することが重要である。説明として、過度に重いマイクロホンがマイクロホン支持ブームの端部に配置され、このブームの反対側の端部がマイクロホン支持ブーム運動制御装置に取り付けられている極端な場合を検討する。当然ながら、このような設定は、設定全体を（構造部品間の相対運動を防止することによって）そのままに保ち得る圧縮を最初に解除したとき、運動制御装置が好都合に引き起こされるヨー運動を可能にするために十分に緩められるよりも前にピッチが（例えば、マイクロホン支持アセンブリの直近のユーザによる力のいかなる付与もなしで）生じ得るので、優先的なヨーの分離を生み出そうとするあらゆる設計上の試みを「無効化」し得るような過度のピッチ・モーメントまたはトルク（マイクロホンおよびマイクロホン側の支持ブームの重量、ならびにこの合成重量が実効的に作用するモーメント・アームによって生じる）をもたらす。ここで、好都合に引き起こされるヨー運動とは、設計によって意図されたヨーの誘起の様式を意味し、すなわちマイクロホン・スタンドを把持することなく、マイクロホン・スタンドの基部をマイクロホン・スタンドの基部が接している床に対して動かすことなく、さらにマイクロホン・スタンドの軸の傾きを生じさせることなく、単純に横方向の力によってマイクロホンまたはマイクロホン支持ブームを押すことによるヨー運動の誘起を意味している。このように、本明細書中に開示される、優先的解放を達成する種々の様式は、考えられるすべての構成において、意図する優先的または差別的解放をもたらさないかもしれない。
【００３１】
少なくとも一つの実施形態においては、マイクロホン支持ブーム多自由度運動制御要素は、マイクロホン支持ブームの運動がマイクロホン支持ブームの軸方向の並進であろうとマイクロホン支持ブームの軸回転であるであろうと、この運動を、少なくとも１つのマイクロホン支持ブーム軸自由度についても制御するように構成され得る。マイクロホン支持ブーム運動制御装置は、ヨーの優先的分離の開始後に、少なくとも１つのマイクロホン支持ブーム軸自由度についての運動をマイクロホン・スタンドから分離するように構成された非優先的なマイクロホン支持ブーム軸自由度運動分離要素（８３）をさらに備え得る。当然ながら、そのような運動の分離は、マイクロホン支持ブームの軸方向の並進および／またはマイクロホン支持ブームの軸回転がマイクロホン・スタンドの運動と無関係に生じ得る場合に生じ、その結果、例えば、支持ブームの軸方向の並進がマイクロホン・スタンドのいかなる運動ももたらさない。あらゆるマイクロホン支持ブーム多自由度運動制御要素が、優先的なマイクロホン支持ブーム・ヨー分離要素および／または非優先的なマイクロホン支持ブーム軸自由度運動分離要素を備え得ることを理解することが重要である。
【００３２】
少なくとも一つの実施形態において、非優先的なマイクロホン支持ブーム軸自由度運動分離要素は、少なくとも４つの摩擦マイクロホン支持ブーム軸運動表面（８４）を有し得、そのうちの少なくとも２つが、ブーム軸運動摩擦表面近傍圧縮力軸（８６）（当該摩擦マイクロホン支持ブーム軸運動表面の近傍にあり、好ましい実施形態においては水平である圧縮力の付与軸）に対してマイクロホン支持ブーム軸自由度運動摩擦角度（８５）を有し得、そしてこの角度は、摩擦ヨー表面角度よりも小さい。このようにして、マイクロホン支持ブームに作用する摩擦力を、ヨー回転可能摩擦ヨー表面に作用する摩擦力よりも大きくでき、２つのマイクロホン支持ブーム軸自由度運動の一方または両者について、非優先的な分離が生じ得る。少なくとも一つの実施形態においては、マイクロホン支持ブーム
軸自由度運動のいずれかについてピッチ分離に対する非優先的な分離を達成するために、マイクロホン支持ブーム軸自由度運動摩擦角度が摩擦ピッチ角度よりも小さくあり得る。
【００３３】
角度が圧縮力の軸に対して測定されたと示されているとき、この角度が、マイクロホン支持ブーム運動装置が据え付けられた状態にあるときに、外部から付与された力が内部部品を動かそうとする軸に対して測定されることを理解することが重要である（ほとんどの用途において、この軸は水平である）。したがって、内部の表面（垂直であろうと、垂直から外れていようと）に作用するあらゆる垂直力の水平成分が、圧縮力軸とみなされる。さらに、角度は、それぞれ（ａ）当該円錐の長手軸を含んでいる平面内に位置（当該表面が円錐クラッチの一部である場合）するか、あるいは（ｂ）円柱または円筒構造体の長手軸に直交する平面内に位置（包括的に保持されたマイクロホン支持ブームの軸運動を非優先的に分離するように角度をつけられ得るマイクロホン支持ブームおよび摩擦マイクロホン支持ブーム軸運動表面の場合に見られ得るように）する直線（一方が当該表面と平行であり、他方が圧縮軸と平行である）の間で測定される。
【００３４】
少なくとも一つの実施形態において、非優先的なマイクロホン支持ブーム軸自由度運動分離要素が、マイクロホン支持ブームの外表面（８８）に静的に接したときにマイクロホン支持ブーム軸自由度表面静止摩擦係数を呈する少なくとも１つの摩擦マイクロホン支持ブーム軸自由度表面（８７）を有し得る。２つのマイクロホン支持ブーム軸自由度運動のいずれかの、ヨーに対する非優先的な分離を達成するために、マイクロホン支持ブーム軸自由度表面静止摩擦係数は、ヨー表面静止摩擦係数よりも大きくあり得る。さらに、２つのマイクロホン支持ブーム軸自由度運動のいずれかの、ピッチに対する非優先的な分離を達成するために、マイクロホン支持ブーム軸自由度表面静止摩擦係数は、ヨー表面静止摩擦係数よりも大きくあり得る。
【００３５】
少なくとも一つの実施形態においては、非優先的なマイクロホン支持ブーム軸自由度運動分離要素が、マイクロホン支持ブーム・ピッチ軸が外部圧縮付与軸（９１）から第１の距離（９０）にあり、マイクロホン支持ブーム摩擦力（例えば、ブームの軸自由度運動を防止するようにマイクロホン支持ブームに直接作用する摩擦力）の付与の有効点（９２）が外部圧縮付与軸から第２の距離（９３）にあり、第１の距離が第２の距離よりも大きくなるように構成された締め具（８９）を有し得る。外部圧縮軸は、外部から付与される圧縮力と共直線である軸であり得、調節可能圧縮付与要素の一部である任意のねじまたはボルトと共直線であり得る。マイクロホン支持ブーム摩擦力の付与の有効点は、一般に、外部圧縮軸から最も近いマイクロホン支持ブーム摩擦力付与の縁と、外部圧縮軸から最も遠いマイクロホン支持ブーム摩擦力付与の縁との間の点に位置している。このようにして、マイクロホン支持ブームに作用する摩擦力は、ピッチ回転可能摩擦ピッチ表面に作用する摩擦力よりも大きくあり得る。このように摩擦力を操作することで、マイクロホン支持ブームのあらゆる軸運動の、マイクロホン支持ブームのピッチに対する非優先的な分離を生じ得る。
【００３６】
本発明の少なくとも一つの実施形態においては、マイクロホン支持ブーム多自由度運動制御要素は、マイクロホン支持ブーム・ヨーおよびマイクロホン支持ブーム・ピッチを制御するように構成され得る。他の少なくとも１つの実施形態においては、さらにマイクロホン支持ブームの軸方向の並進または軸回転を制御するようにもまた構成され得、さらに別の実施形態においては、マイクロホン支持ブームの４つの自由度、すなわちマイクロホン支持ブームのヨー、マイクロホン支持ブームのピッチ、マイクロホン支持ブームの軸方向の並進、およびマイクロホン支持ブームの軸回転を制御するように構成され得る。本発明の少なくとも一つの実施形態は、４つの自由度についてマイクロホン支持ブームの運動を制御するように構成されたマイクロホン支持ブーム多自由度運動制御要素を備え得る。
【００３７】
本発明の少なくとも一つの実施形態は、取り付け要素が完全に係合した状態にあるときに、マイクロホン支持ブーム・ヨー軸の周りでのマイクロホン支持ブームのヨーを取り付け要素から分離するために、ジャムナットを有さない。
【００３８】
本発明の少なくとも一つの実施形態においては、マイクロホン支持ブーム運動制御装置は、それ自身が二重対向円錐要素（例えば、二重対向円錐ピッチ要素（９８））と、この二重対向円錐要素と界面を接するように構成された内表面（１００）を有するシェル（例えば、ピッチ・シェル（９９））とを備え得る、マイクロホン支持ブーム・ピッチ分離要素（９７）をさらに備え得る。二重対向円錐要素およびシェルに付与されている圧縮力（外部から付与されている圧縮力など）を解放すると、マイクロホン・ブーム要素のピッチが、マイクロホン・スタンドおよび／または取り付け要素から分離され得る。少なくとも本発明の一実施の形態において、マイクロホン支持ブーム・ヨー案内要素は、二重対向円錐要素（１０３）と、この二重対向円錐要素と界面を接するように構成された内表面（１０５）を有するシェル（１０４）とを備え得る。さらに、本発明の少なくとも一つの実施形態は、ほぼ円形の凹状チャネル（１０１）およびほぼリング状のキー（１０２）を備えることができ、キー（１０２）の少なくとも一部分が、ほぼ円形の凹状チャネルに嵌まり込むように構成される。一般に、ヨーを可能にしヨー軸の周りでの関連の回転を方向付けるようにとくに構成されたあらゆる部品は、マイクロホン支持ブーム・ヨー案内要素と称され得る。
【００３９】
さらに、マイクロホン支持ブーム運動制御装置の使用または取り扱いの方法（マイクロホン支持ブーム運動制御取り扱い方法）も、本発明の主題の一局面であり、回転可能な取り付け要素のヨーをマイクロホン・スタンドから分離するため、オンオフ可能なマイクロホン支持ブーム・ヨー分離要素を（あくまで一例であるが、ねじ付きボルトを回転させることによって）オンにするステップ、およびマイクロホン支持ブーム多自由度運動制御要素を回転させることなく、回転可能な取り付け要素をマイクロホン・スタンドへと完全に係合するまで回転させて取り付けるステップを含み得、オンオフ可能なマイクロホン支持ブーム・ヨー分離要素は、マイクロホン支持ブームの運動を少なくとも３つの自由度について制御するよう構成されたマイクロホン支持ブーム多自由度運動制御要素の一部を形成し得る。この取り扱い方法は、さらに、マイクロホン支持ブームを、マイクロホン支持ブーム多自由度運動制御要素の一部を形成するマイクロホン支持ブーム保持要素に、圧縮によって保持するステップを含み得る。さらに、この取り扱い方法は、保持されているマイクロホン支持ブームに手動による横方向の力を加えたときに、保持されているマイクロホン支持ブームにピッチを生じることなく（すなわち、保持されているマイクロホン支持ブームのヨーを生じさせるための手動による横方向の力の付与が、保持されているマイクロホン支持ブームのピッチを生じさせない）、保持されているマイクロホン支持ブームのヨーを可能にするように、調節可能な圧縮付与要素を（例えば回転などによって）調節するステップ、およびマイクロホン支持ブームのピッチを生じることなくマイクロホン支持ブームのヨーを発生させるように、保持されているマイクロホン支持ブームに手動による横方向の力を加える（当然ながら、これはブームに直接触れることによって行い得るか、あるいはブームに支持または取り付けされているマイクロホンに触れることによって実行され得る）ステップを含み得る。少なくとも一つの実施形態において、この取り扱い方法は、保持されているマイクロホン支持ブームに手動による横方向の力を加えたときに、保持されているマイクロホン支持ブームにマイクロホン支持ブーム軸自由度運動（例えば、マイクロホン支持ブームの軸方向の並進またはマイクロホン支持ブームの軸回転）を生じることなく、保持されているマイクロホン支持ブームのヨーを可能にするため、調節可能な圧縮付与要素をさらに調節するステップ、およびマイクロホン支持ブーム軸自由度運動を生じさせることなくマイクロホン支持ブームのヨーを発生させるため、保持されているマイクロホン支持ブームに手動による横方向の力を加えるステップを含み得る。この取り扱い方法は、保持されているマイクロホン支持ブームに手動による垂直力を加えたときに、
保持されているマイクロホン支持ブームにマイクロホン支持ブーム軸自由度運動を生じさせることなく、保持されているマイクロホン支持ブームのピッチを可能にするように、調節可能な圧縮付与要素をさらに調節するステップ、およびマイクロホン支持ブーム軸自由度運動を生じさせることなくマイクロホン支持ブームのピッチを発生させるように、保持されているマイクロホン支持ブームに手動による垂直力を加えるステップを含み得る。少なくとも一つの実施形態において、オンオフ可能なマイクロホン支持ブーム・ヨー分離要素は、マイクロホン支持ブームの運動を４つの自由度について制御するよう構成されたマイクロホン支持ブーム多自由度運動制御要素の一部を形成し得る。これら４つの自由度は、マイクロホン支持ブームのヨー、マイクロホン支持ブームのピッチ、マイクロホン支持ブームの軸方向の並進、およびマイクロホン支持ブームの軸回転を含み得る。
【００４０】
本発明の独立した一局面は、優先的なマイクロホン支持ブーム自由度運動分離要素として使用され得る二重円錐クラッチである。二重円錐クラッチは、マイクロホン支持ブームのある好ましい自由度についての運動（あくまで一例であるが、ヨーなど）を、マイクロホン支持ブームの他のあらゆる自由度についての運動（従属的自由度の運動、または従属的運動）を許容する前に、許容し得る。マイクロホン支持ブームの移動（または運動）を制御する用途において、二重円錐クラッチは、少なくとも１つが円錐台形状である摩擦優先運動表面および少なくとも１つが円錐台形状である摩擦従属運動表面を備え得、円錐台形状の摩擦優先運動表面が、摩擦優先運動表面近傍圧縮力軸に対して摩擦優先運動表面角度を有し、マイクロホン支持ブーム優先運動軸と共直線である摩擦優先運動表面軸を有し、そして円錐台形状の摩擦従属運動表面が、摩擦従属運動表面近傍圧縮力軸に対して摩擦従属運動表面角度を有し、マイクロホン支持従属運動軸と共直線である摩擦従属運動表面軸を有しており、摩擦優先運動表面角度が摩擦従属運動表面角度よりも大きく、二重円錐クラッチは、マイクロホン支持ブームのある好ましい自由度についての運動を、マイクロホン支持ブームの他の自由度についての運動を許容する前に許容し、二重円錐クラッチによって、ある好ましい自由度についての運動をマイクロホン・スタンドから分離する。少なくとも一つの実施形態において、二重円錐クラッチは、入れ子式の二重円錐クラッチである。当然ながら、その使用が「優先運動」または「従属運動」を含む前記用語は、同一であるがそれらの用語「優先運動」または「従属運動」の使用のためである用語の定義と類似（しかしながら、より広い）の定義を有する。例えば、摩擦優先運動表面角度は、摩擦優先運動表面角度がヨーには限られず、いずれにせよより広い「優先運動」に限られる点で、摩擦ヨー表面角度に与えられるものと同様であるがより広い定義を有する。
【００４１】
前記実施形態および図面に開示されている追加の実施形態はいずれも、マイクロホン支持ブームだけでなく、これらに限られるわけではないが他の音楽関連装置のための構造的支持（ブームなど）、測定用器具および／またはセンサ装置のための構造的支持、および光源のための構造的支持、または空間的再配置が望まれるかあるいは好都合である他の構造体などの他の構造体の制御をも可能にするように、意図される。本質的に、請求項中に存在し得るマイクロホン関連の用語の削除、およびおそらくはマイクロホン支持ブーム以外の用途に関連する用語による置き換えは、本件出願人が後に求める保護の範囲を定める請求項をもたらす。
【００４２】
以上から容易に理解できるとおり、本発明の基本的な考え方を、さまざまなやり方で具現化することができる。構造的保持および運動分離の技法、ならびに適切な構造的保持および運動分離を達成するための装置の両者が包含される。この出願において、構造的保持および運動分離の技法は、前記さまざまなデバイスによって達成されるとして示されている結果の一部として開示され、利用に固有のステップとして開示されている。それらは単純に、意図および前記説明のとおりのデバイスの使用の自然な結果である。さらに、いくつかのデバイスが開示されるが、それらがある特定の方法を達成するだけではなく、さまざまなやり方で変更可能であることを理解しなければならない。重要なことに、前記すべ
てに関し、これらの切り口のすべてが本明細書の開示に包含されると理解すべきである。
【００４３】
この特許出願に含まれている説明は、基本的説明として機能することを意図したものである。読者は、特定の説明が、考えられるすべての実施形態を明示しないかもしれず、多くの代案が包含されていることを認識すべきである。さらに、本発明の一般的性質が完全に説明されているわけではなく、特徴または要素のそれぞれが、実際にどのようにしてより広い機能または多種多様な代案または均等な要素の代表であり得るのかについて、明示されているわけではないかもしれない。繰り返すが、それらは本明細書の開示に含まれている。本発明がデバイスに向けた用語で記載されたとき、そのデバイスの各要素がある機能を実行することが含まれる。装置の請求項が、前記デバイスに関して含まれ、さらに方法またはプロセスの請求項が、本発明または各要素が実行する機能に向けて含まれている。説明および用語のいずれも、この特許出願の請求項の技術的範囲を限定しようとするものではない。
【００４４】
本発明の本質から離れることなくさまざまな変更が可能であることも、理解すべきである。そのような変更も、本明細書に暗黙裡に含まれている。それらは、依然として本発明の技術的範囲内にある。明示した実施形態、および多種多様な暗黙裡の他の実施形態の両者、ならびに幅広い方法またはプロセスなどを包含する幅広い開示が、本明細書の開示に包含される。それらは、この特許出願の各請求項の裏付けとして依存することができる。この特許出願は、本発明の多数の局面を、別個独立および全体システムとしての両者によって保護する特許を生むように計画されている。
【００４５】
さらに、本発明および請求項のさまざまな要素のそれぞれは、さまざまなやり方で実現することができる。本明細書の開示は、任意の装置の実施形態、あるいは方法またはプロセスの実施形態の一実施の形態の変形、または単にそれらの任意の要素の変形であっても、そのような変形のそれぞれを包含すると理解すべきである。とくに、開示が本発明の要素に関連するとき、各要素についての用語が、例え機能または結果のみが同一である場合でも、均等な装置の用語または方法の用語で表現されてもよいことを理解すべきである。そのような均等で、幅広く、あるいはより一般的でさえある用語は、各要素または作用についての記載に包含されるものと理解されるべきである。そのような用語は、望まれる場合には、この発明の与えられるべき暗黙の幅広い保護を明示するために置き換えることが可能である。あくまで一例であるが、すべての作用を、当該作用を行なうための手段として、あるいは当該作用を生じさせる要素として表現することができることを、理解すべきである。同様に、開示された物理的要素のそれぞれは、当該物理的要素が促進する作用の開示を包含するものと理解すべきである。この最後の局面に関し、あくまで一例であるが、「取り付け要素」という開示を、明示されているか否かにかかわらず「取り付け」の作用の開示を包含するものと理解すべきであり、反対に、「取り付け」の作用の開示が有効に存在するのであれば、そのような開示を「取り付け要素」、さらには「取りつけのための手段」の開示を包含するものとして理解すべきである。このような変更および代替の用語は、本明細書に明示的に含まれていると理解すべきである。
【００４６】
【表１】
2006515967.tif 000018
この特許出願において言及され、あるいは上記リストに挙げられたすべての特許、刊行物、または他の文献は、本明細書中に参考として援用される。優先権に関する件である２００３年１月１５日付の米国特許出願第１０／３４５，６２２号は、すべての図面および添付物を含めて、本明細書中に参考として援用される。さらに、使用した各用語に関し、この出願における使用がそのような解釈と矛盾しない限り、一般の辞書の定義がそれぞれの単語について受け入れられると理解すべきであり、すべての定義、代わりの用語、およびＲａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ，第２版に含まれているものなどの同意語が、本明細書中に参考として援用される。最後に、Ｒｅｆｅｒｅｎｃｅｓ  Ｔｏ  Ｂｅ  Ｉｎｃｏｒｐｏｒａｔｅｄ  Ｂｙ  Ｒｅｆｅｒｅｎｃｅ  Ｉｎ  Ａｃｃｏｒｄａｎｃｅ  Ｗｉｔｈ  Ｔｈｅ  Ｐａｔｅｎｔ  Ａｐｐｌｉｃａｔｉｏｎのリストに挙げられたすべての文献、あるいは本件出願とともに提出する他の情報開示陳述書または引用が、本明細書に添付され、本明細書中に参考として援用されるが、上記のそれぞれに関し、言及によって組み込まれたこのような情報または陳述が、この／これらの発明への特許の付与と矛盾すると考えられる範囲において、そ
のような陳述は明らかに本件出願人によってなされたと考えるべきではない。
【００４７】
したがって、本件出願人が、少なくとも、ｉ）本明細書に開示および説明した保持デバイスのそれぞれ、ｉｉ）開示および説明した関連の方法、ｉｉｉ）これらデバイスおよび方法のそれぞれの類似の、均等の、さらには暗黙裡の変形、ｉｖ）開示および説明によって示した機能のそれぞれを達成する代案となる設計、ｖ）開示および説明したそれを達成するために暗黙であるとして示した機能のそれぞれを達成する代案となる設計および方法、ｖｉ）別個かつ独立した発明として示された特徴、構成要素、およびステップのそれぞれ、ｖｉｉ）開示したさまざまなシステムまたは構成要素によって向上が図られる用途、ｖｉｉｉ）そのようなシステムまたは構成要素によって生み出されて得られる製品、ｉｘ）添付の例のいずれかを参照しつつこれまでに事実上説明した方法およびデバイス、ｘ）開示した要素のそれぞれのさまざまな組み合わせおよび置換、およびｘｉ）提示したあらゆる独立請求項または概念への従属性としての潜在的な従属請求項または概念のそれぞれを請求していると理解すべきである。この点に関し、現実的な理由で、潜在的に数百にもなりうる請求項の追加を避けるため、本件出願人が、最初の従属性を有する請求項のみを最終的に提示するであろう点を、理解すべきである。ある１つの独立請求項または概念のもとで提示された種々の従属性または他の要素のいずれかを、他のいずれかの独立請求項または概念の従属性または要素として追加することを許すため、これらに限られるわけではないが、欧州特許条約第１２３条（２）項および米国特許法３５  ＵＳＣ  １３２条または他のそのような条項を含む新規事項に関する法のもとで要求される程度のサポートが存在すると理解すべきである。
【００４８】
この出願または引き続くあらゆる出願において、請求項を作成するときは常に、出願人が合法的に得られる完全かつ幅広い保護の範囲を得ようと意図していることを理解すべきである。非実質的な置換が行なわれ、出願人が実際に請求項を特定の実施形態を文言上包含するように請求項を記載しておらず、そのようでなければ適用可能である範囲において、出願人が、単に出願人がすべての偶然性を先取りすることができなかったに過ぎず、当業者がそのような代替の実施形態を文言上包含する請求項を作成することを妥当には期待できなかったそのような保護範囲の放棄を意図し、あるいは実際に放棄したと決して考えるべきではない。
【００４９】
さらに、移行句「を含む」が使用される場合、その使用は、従来からの請求項の解釈に従って請求項をここで「オープンエンド」に維持するために使用される。したがって、文脈がそのようではないと要求しない限り、用語「を含む」またはその変種である「有する」または「備える」などは、述べられている要素またはステップ、あるいは要素またはステップのグループを含むことを意味することを意図しているが、他の要素またはステップ、あるいは要素またはステップのグループを除外することを意味するものではないと理解すべきである。そのような用語は、出願人に法的に許される最大の保護を許すため、それらの最も広い形態で解釈されるべきである。
【００５０】
あらゆる時点において記載されたあらゆる請求項は、ここでの言及によって本発明のこの明細書の一部として組み込まれ、本件出願人は、そのような請求項のそのように組み込まれた内容のすべてまたは一部を、いずれかまたはすべての請求項またはそれらに任意の要素または構成要素をサポートする追加の説明として使用する権利をここに明白に留保し、さらに本件出願人は、そのような請求項の組み込まれた内容の一部またはすべてあるいはそれらの要素または構成要素を、この出願または引き続くあらゆる継続、分割、または部分継続出願によって保護を求める主題を定めるため、あるいはあらゆる国家または条約の特許法、規則、または規定に関してそれらの利益を得、それらに従う費用を低減し、あるいはそれらに合致するために必要なとおり、明細書から請求項へと移動させ、あるいはその逆に移動させる権利をここに明白に留保し、言及によって組み込まれたそのような内
容は、引き続くあらゆる継続、分割、または部分継続出願を含み、あるいは再発行または延長を含むこの出願の全係属期間を通じて存続するものとする。
【図面の簡単な説明】
【００５１】
【図１】図１は、マイクロホン支持ブーム運動制御装置およびマイクロホン支持ブームの分解斜視図を示す。
【図２】図２は、マイクロホン支持ブーム運動制御装置およびマイクロホン支持ブームの斜視図を示す。
【図３】図３は、保持されたブーム軸に沿って眺めたマイクロホン支持ブーム運動制御装置およびマイクロホン支持ブームを二等分切断図で示す。
【図４】図４は、マイクロホン支持ブーム運動制御装置の約半分のある部品の分解斜視図を示す。
【図５】図５は、マイクロホン支持ブーム運動制御装置およびマイクロホン支持ブームの分解斜視図を示す。
【図６】図６は、保持されたブーム軸に沿って眺めたマイクロホン支持ブーム運動制御装置およびマイクロホン支持ブームを断面図で示す。
【図７】図７は、優先的なヨーの解放および従属的なピッチの解放をもたらす二重円錐クラッチの機能部品の断面図を示す。
【図８】図８は、優先的なピッチの解放および従属的なヨーの解放をもたらす二重円錐クラッチの機能部品の断面図を示す。
【図９】図９は、マイクロホン支持ブーム運動制御装置およびマイクロホン支持ブームの斜視切断図を示す。
【図１０】図１０は、マイクロホン支持ブーム運動制御装置のあるいくつかの部品およびマイクロホン支持ブームの分解斜視図を示す。
【図１１】図１１は、回転運動制御装置の単なる一例の分解斜視図を示す。
【図１２】図１２は、回転運動制御装置の単なる一例の分解斜視図を示す。
【図１３】図１３は、マイクロホン支持ブーム保持要素の断面図を示す。
【図１４】図１４は、マイクロホン支持ブーム保持要素の一部を形成し得るスリーブの断面図を示す。
【符号の説明】
【００５２】
１    ブーム首振りポスト
２    ブーム首振りシュー
３    ブーム首振りクランプ
４    専用根角ボルト  ５／１６−１８×１．７５、黒色Ｚｎ
５    ブーム・スライド・スリーブ
６    ブーム配線ガイド
７    六角ナット、鋼製、５／１６‐１８、Ｚｎ
８    ブーム首振りノブ本体
９    ブーム首振りノブ被覆
１０  ブーム筒
１１  ブーム伸縮クラッチ
１２  伸縮チューブ
１３  ナット、１０‐２４、矩形
１４  ボルト、１０‐２４、専用ローレット加工
１５  オーバモールド、熱可塑性エラストマー
１６  ブーム端部グリップ
１７  ブーム・スライダ
１８  マイクロホン固定アダプタ
【国際調査報告】
2006515967.tif 000019